(57)【特許請求の範囲】
【請求項１】
通信方法であって、前記通信方法は、
第１のネットワークデバイスが、プロトコルデータユニット（ＰＤＵ）セッションの第１の情報を含む第１のメッセージ（１００、３００、５００、７００）を第２のネットワークデバイスに伝送することと、
前記第１のネットワークデバイスが、前記第２のネットワークデバイスが前記第１のメッセージを受信することに応答して、前記ＰＤＵセッションの第２の情報を含む第２のメッセージを受信することであって、前記第２の情報は、前記第２のネットワークデバイスによる前記ＰＤＵセッションの分割の容認を示す、ことと、
前記第１のネットワークデバイスが、前記第２のメッセージに応答して、前記ＰＤＵセッションの第３の情報を含む第３のメッセージをコアネットワークに伝送することであって、前記第３の情報は、前記ＰＤＵセッションの前記分割を示す、ことと
を含み、
前記ＰＤＵセッションの前記第１の情報は、前記ＰＤＵセッションのＰＤＵセッション識別子と、前記ＰＤＵセッションに関連付けられた次世代（ＮＧ）インターフェースアップリンクトンネルエンドポイント情報と、前記ＰＤＵセッションに関連付けられたサービス品質（ＱｏＳ）フロー情報とを含み、
前記ＰＤＵセッションの前記第１の情報は、前記ＰＤＵセッションに関連付けられたデータ無線ベアラ（ＤＲＢ）のＤＲＢ情報をさらに含み、前記ＤＲＢ情報は、前記ＤＲＢのＤＲＢ識別子（ＩＤ）と、前記ＤＲＢにマッピングされた少なくとも１つのＱｏＳフロー識別子とを含む、通信方法。
【請求項２】
前記第１のネットワークデバイスは、一次基地局であり、前記第２のネットワークデバイスは、二次基地局である、請求項１に記載の通信方法。
【請求項３】
前記ＰＤＵセッションの前記第３の情報は、前記ＰＤＵセッションのＰＤＵセッション識別子と、ＮＧインターフェースダウンリンクトンネルエンドポイント情報とを含み、前記第３のメッセージは、ＮＧインターフェースダウンリンクトンネルエンドポイント情報に対応する１つ以上のＱｏＳフロー識別子をさらに含む、請求項１に記載の通信方法。
【請求項４】
第１のネットワークデバイスであって、前記第１のネットワークデバイスは、
第１のメッセージを第２のネットワークデバイスに伝送するように構成された送信機であって、前記第１のメッセージは、プロトコルデータユニット（ＰＤＵ）セッションの第１の情報を含む、送信機と、
前記第２のネットワークデバイスが前記第１のメッセージを受信することに応答して、前記ＰＤＵセッションの第２の情報を含む第２のメッセージを受信するように構成された受信機であって、前記第２の情報は、前記第２のネットワークデバイスによる前記ＰＤＵセッションの分割の容認を示す、受信機と
を備え、
前記送信機は、前記第２のメッセージに応答して、前記ＰＤＵセッションの第３の情報を含む第３のメッセージをコアネットワークに伝送するように構成されており、前記第３の情報は、前記ＰＤＵセッションの前記分割を示し、
前記ＰＤＵセッションの前記第１の情報は、前記ＰＤＵセッションのＰＤＵセッション識別子と、前記のＰＤＵセッションに関連付けられた次世代（ＮＧ）インターフェースアップリンクトンネルエンドポイント情報と、前記ＰＤＵセッションに関連付けられたサービス品質（ＱｏＳ）フロー情報とを含み、
前記ＰＤＵセッションの前記第１の情報は、前記ＰＤＵセッションに関連付けられたデータ無線ベアラ（ＤＲＢ）のＤＲＢ情報をさらに含み、前記ＤＲＢ情報は、前記ＤＲＢのＤＲＢ識別子（ＩＤ）と、前記ＤＲＢにマッピングされた少なくとも１つのＱｏＳフロー識別子とを含む、第１のネットワークデバイス。
【請求項５】
前記第１のネットワークデバイスは、一次基地局であり、前記第２のネットワークデバイスは、二次基地局である、請求項４に記載の第１のネットワークデバイス。
【請求項６】
前記ＰＤＵセッションの前記第３の情報は、前記ＰＤＵセッションのＰＤＵセッション識別子と、ＮＧインターフェースダウンリンクトンネルエンドポイント情報とを含み、前記第３のメッセージは、ＮＧインターフェースダウンリンクトンネルエンドポイント情報に対応する１つ以上のＱｏＳフロー識別子をさらに含む、請求項４に記載の第１のネットワークデバイス。
【請求項７】
通信方法であって、前記通信方法は、
第２のネットワークデバイスが、第１のネットワークデバイスによって伝送される第１のメッセージを受信することであって、前記第１のメッセージは、プロトコルデータユニット（ＰＤＵ）セッションの第１の情報を含む、ことと、
前記第２のネットワークデバイスが、前記第１のメッセージを受信することに応答して、前記ＰＤＵセッションの第２の情報を含む第２のメッセージを前記第１のネットワークデバイスに伝送することであって、前記第２の情報は、前記第２のネットワークデバイスによる前記ＰＤＵセッションの分割の容認を示す、ことと、
前記第２のネットワークデバイスが、前記第２のメッセージに応答して、前記ＰＤＵセッションの第３の情報を含む第３のメッセージをコアネットワークに伝送することを前記第１のネットワークデバイスに行わせることであって、前記第３の情報は、前記ＰＤＵセッションの前記分割を示す、ことと
を含み、
前記ＰＤＵセッションの前記第１の情報は、前記ＰＤＵセッションのＰＤＵセッション識別子と、前記ＰＤＵセッションに関連付けられた次世代（ＮＧ）インターフェースアップリンクトンネルエンドポイント情報と、前記ＰＤＵセッションに関連付けられたサービス品質（ＱｏＳ）フロー情報とを含み、
前記ＰＤＵセッションの前記第１の情報は、前記ＰＤＵセッションに関連付けられたデータ無線ベアラ（ＤＲＢ）のＤＲＢ情報をさらに含み、前記ＤＲＢ情報は、前記ＤＲＢのＤＲＢ識別子（ＩＤ）と、前記ＤＲＢにマッピングされた少なくとも１つのＱｏＳフロー識別子とを含む、通信方法。
【請求項８】
第２のネットワークデバイスであって、前記第２のネットワークデバイスは、
第１のネットワークデバイスによって前記第２のネットワークデバイスに伝送される第１のメッセージを受信するように構成された受信機であって、前記第１のメッセージは、プロトコルデータユニット（ＰＤＵ）セッションの第１の情報を含む、受信機と、
送信機であって、
前記第１のメッセージを受信することに応答して、前記ＰＤＵセッションの第２の情報を含む第２のメッセージを伝送することであって、前記第２の情報は、前記第２のネットワークデバイスによる前記ＰＤＵセッションの分割の容認を示す、ことと、
前記第２のメッセージに応答して、前記ＰＤＵセッションの第３の情報を含む第３のメッセージをコアネットワークに伝送することを前記第１のネットワークデバイスに行わせることであって、前記第３の情報は、前記ＰＤＵセッションの前記分割を示す、ことと
を行うように構成された送信機と
を備え、
前記ＰＤＵセッションの前記第１の情報は、前記ＰＤＵセッションのＰＤＵセッション識別子と、前記ＰＤＵセッションに関連付けられた次世代（ＮＧ）インターフェースアップリンクトンネルエンドポイント情報と、前記ＰＤＵセッションに関連付けられたサービス品質（ＱｏＳ）フロー情報とを含み、
前記ＰＤＵセッションの前記第１の情報は、前記ＰＤＵセッションに関連付けられたデータ無線ベアラ（ＤＲＢ）のＤＲＢ情報をさらに含み、前記ＤＲＢ情報は、前記ＤＲＢのＤＲＢ識別子（ＩＤ）と、前記ＤＲＢにマッピングされた少なくとも１つのＱｏＳフロー識別子とを含む、第２のネットワークデバイス。
【発明の詳細な説明】
【技術分野】
【０００１】
（関連出願への相互参照）
本出願は、２０１７年１月２６日に出願された中国特許出願第２０１７１００６１６４２．６号に対して優先権を主張する。上記文献の開示内容は、その全体として参照することによって本明細書において援用される。
【０００２】
（技術分野）
本開示は、限定ではないが、モバイル通信技術に関し、特に、データ処理を実装するための方法、ネットワークデバイス、およびシステム、ならびに記憶媒体に関する。
【背景技術】
【０００３】
（背景）
ロングタームエボリューション（ＬＴＥ）モバイル通信システムでは、同一のサービス品質（ＱｏＳ）要件を伴うデータフローは、ベアラに集約され、無線アクセスネットワーク（ＲＡＮ）およびコアネットワーク（ＣＮ）によるＱｏＳに関する処理は、ベアラに従って実施される。図１は、関連技術分野内のＬＴＥモバイル通信システムのブロック図である。図１に示されるように、ＬＴＥシステムでは、ＲＡＮは、進化型ノードＢ（ｅＮＢ）と、ユーザ機器（ＵＥ）とを含む。ｅＮＢとコアネットワークとの間のＳ１インターフェース上のネットワーク側ベアラ、およびｅＮＢとＵＥとの間のエアインターフェース上の無線ベアラは、１：１の関係にある。
【０００４】
現在、研究中の次世代モバイル通信技術では、第５世代モバイル通信技術（５Ｇ）は、ＬＴＥシステムの１，０００倍のネットワークスループットと、ＬＴＥシステムの１００倍のデバイス接続数と、ＬＴＥシステムの１０倍の低遅延性能とを有する。したがって、５Ｇを含む、次世代システムは、新しいより良好なＱｏＳ機構を有するように要求される。
【０００５】
次世代システムは、統一技術アーキテクチャを採用し、拡張モバイル広帯域（ｅＭＢＢ）、マッシブマシンタイプ通信（ｍＭＴＣ）、および超高信頼かつ低遅延の通信（ＵＲＬＬＣ）等のサービスをサポートするであろう。次世代モバイル通信システムでは、有意な進化が、コアネットワーク、基地局、およびＵＥに遂げられている。図２は、５Ｇモバイル通信ネットワークのブロック図である。図２に示されるように、５Ｇ基地局は、ｇＮＢと称され、ｇＮＢの間のインターフェースは、４ＧシステムにおけるｅＮＢの間のＸ２インターフェースに類似するＸｎインターフェースであり、ｇＮＢと５Ｇコアネットワークとの間のインターフェースは、ＮＧインターフェースと称される。５Ｇシステムでは、複数のプロトコルデータユニットセッション（ＰＤＵセッション）が、１つのＵＥのために確立されてもよい。１つのＰＤＵセッションは、複数のサービス品質フロー（ＱｏＳフロー）を含んでもよく、同一のＰＤＵセッションの複数のＱｏＳフローは、同一のデータ無線ベアラ（ＤＲＢ）にマッピングされてもよい。異なるＰＤＵセッションのＱｏＳフローは、同一のＤＲＢにマッピングされることができない。５Ｇ基地局では、新しいアクセス層（ＡＳ）プロトコル層（例えば、パケットデータ関連付けプロトコル（ＰＤＡＰ）と称される）が、ＡＳ層内の新しいＱｏＳ機構の新しい機能を協調させるように、パケットデータ収束プロトコル（ＰＤＣＰ）層の上方に導入される。各ＰＤＵセッションは、１つのＰＤＡＰエンティティを有する。５Ｇ基地局は、中央ユニット（ＣＵ）および分散ユニット（ＤＵ）に分割されてもよい。１つの基地局は、１つのＣＵと、複数のＤＵとを含んでもよい。
【０００６】
次世代モバイルシステムにおける新しいＱｏＳ機構および同等物の特性に関して、本システムにおけるデータ分割およびハンドオーバならびに同等物を含む、いかなるデータ処理方法も、現在提供されていない。
【発明の概要】
【発明が解決しようとする課題】
【０００７】
（要約）
本主題の概要が、本明細書の以降で詳細に説明される。本概要は、請求項の範囲を限定することを意図していない。
【０００８】
本願の実施形態は、次世代システム上でデータ分割およびハンドオーバ処理を実装し得る、データ処理を実装するための方法、ネットワークデバイス、およびシステム、ならびに記憶媒体を提供する。
【課題を解決するための手段】
【０００９】
本願の実施形態は、データ処理を実装するための方法を提供する。本方法は、下記に説明される２つのステップを含む。
第１のネットワークデバイスは、要求メッセージを第２のネットワークデバイスに伝送する。
第１のネットワークデバイスは、第２のネットワークデバイスによってフィードバックされる応答メッセージを受信する。
要求メッセージは、少なくとも１つの第１のプロトコルデータユニット（ＰＤＵ）セッション情報を含み、応答メッセージは、第２のネットワークデバイスへの容認を示す、少なくとも１つの第２のＰＤＵセッション情報を含む。
【００１０】
随意に、第１のＰＤＵセッション情報は、ＰＤＵセッション識別子、次世代（ＮＧ）インターフェースアップリンクトンネルエンドポイント情報、または少なくとも１つのサービス品質（ＱｏＳ）フロー情報のうちの少なくとも１つを含む。
【００１１】
随意に、要求メッセージはさらに、少なくとも１つのデータ無線ベアラ（ＤＲＢ）情報またはデータ転送モードインジケーション情報のうちの少なくとも１つを含む。
【００１２】
随意に、第１のＰＤＵセッション情報がＱｏＳフロー情報を含むとき、ＱｏＳフロー情報は、ＱｏＳフロー識別子またはＱｏＳプロファイル情報のうちの少なくとも１つを含む。
【００１３】
随意に、要求メッセージが少なくとも１つのＤＲＢ情報を含むとき、少なくとも１つのＤＲＢ情報のそれぞれは、ＤＲＢ識別子、ＤＲＢ構成情報、またはＤＲＢにマッピングされる少なくとも１つのＱｏＳフロー識別子のうちの少なくとも１つを含む。
【００１４】
随意に、応答メッセージが、トンネルエンドポイント情報を転送する少なくとも１つのＸｎインターフェースデータを含むとき、本方法はさらに、下記に説明されるステップを含む。
第１のネットワークデバイスは、トンネルエンドポイント情報を転送する少なくとも１つのＸｎインターフェースデータに従って、データを第２のネットワークデバイスに転送する。
転送されたデータは、ＱｏＳフロー識別子を含む、終了マーカを含む。
【００１５】
随意に、本方法はさらに、下記に説明されるステップを含む。
第１のネットワークデバイスは、第１のネットワークデバイスのパケットデータ関連付けプロトコル（ＰＤＡＰ）エンティティを通して、Ｘｎインターフェースによって転送される各データパケットの中にＤＲＢ識別子を追加し、第２のネットワークデバイスのＰＤＡＰエンティティが、ＤＲＢ識別子に従って、各データパケットを各データパケットと関連付けられるＤＲＢと合致させることを可能にする。
【００１６】
随意に、ＱｏＳプロファイル情報は、ＱｏＳマーキング、反射インジケーション、優先度レベル、パケット遅延予算、パケットエラー率、アップリンク（ＵＬ）およびダウンリンク（ＤＬ）最大フロービットレート、ＵＬおよびＤＬ保証フロービットレート、配分および留保優先度（ＡＲＰ）、または通知制御のうちの少なくとも１つを含む。
【００１７】
随意に、データ転送は、ＰＤＵセッションに基づく転送、ＱｏＳフローに基づく転送、またはＤＲＢに基づく転送のうちの少なくとも１つを含む。
【００１８】
随意に、第１のネットワークデバイスが一次基地局であり、第２のネットワークデバイスが二次基地局であるとき、要求メッセージは、分割要求メッセージであり、応答メッセージは、分割応答メッセージである。
【００１９】
随意に、本方法はさらに、下記に説明されるステップを含む。
第１のネットワークデバイスは、受信された応答メッセージに従って、インジケーションメッセージを第３のネットワークデバイスに伝送する。
第３のネットワークデバイスは、コアネットワークである。
【００２０】
随意に、インジケーションメッセージは、分割のための要件を示す、少なくとも１つの第３のＰＤＵセッション情報を含む。
【００２１】
随意に、少なくとも１つの第３のＰＤＵセッション情報のそれぞれは、ＰＤＵセッション識別子、少なくとも１つのＮＧインターフェースダウンリンクトンネルエンドポイント情報、または少なくとも１つのＱｏＳフロー識別子のうちの少なくとも１つを含む。
【００２２】
随意に、要求メッセージはさらに、少なくとも１つのＮＧインターフェースダウンリンクトンネルエンドポイント情報のそれぞれに対応する、少なくとも１つのＱｏＳフロー識別子、または分割モードインジケーションのうちの少なくとも１つを含む。
【００２３】
随意に、本方法はさらに、下記に説明されるステップを含む。
第１のネットワークデバイスは、変更メッセージを第２のネットワークデバイスに伝送する。
変更メッセージは、分割の取り消しを示す、少なくとも１つの第４のＰＤＵセッション情報を含む。
【００２４】
随意に、少なくとも１つの第４のＰＤＵセッション情報のそれぞれは、ＰＤＵセッション識別子または少なくとも１つのＱｏＳフロー識別子のうちの少なくとも１つを含む。
【００２５】
随意に、変更メッセージはさらに、変更される情報を含む。
変更される情報は、少なくとも１つのＱｏＳフロー識別子、各ＱｏＳフローに対応するＰＤＵセッション識別子、または変更された後の各ＱｏＳフローのＱｏＳプロファイル情報のうちの少なくとも１つを含む。
【００２６】
随意に、第１のネットワークデバイスがソース基地局であり、第２のネットワークデバイスが標的基地局であるとき、要求メッセージは、ハンドオーバ要求メッセージであり、応答メッセージは、ハンドオーバ応答メッセージである。
【００２７】
随意に、本方法はさらに、下記に説明されるステップを含む。
第１のネットワークデバイスは、受信された応答メッセージに従って、ハンドオーバコマンドをユーザ機器（ＵＥ）に伝送する。
【００２８】
随意に、本方法はさらに、下記に説明されるステップを含む。
第１のネットワークデバイスは、再構成メッセージをＵＥに伝送する。
【００２９】
随意に、分割は、ＰＤＵセッションに基づく分割およびＱｏＳフローに基づく分割を含む。
【００３０】
随意に、分割要求メッセージは、第１のネットワークデバイスによって開始される第２のネットワークデバイス追加メッセージ、第２のネットワークデバイス変更メッセージ、または第１の所定のメッセージのうちの１つを含む。
【００３１】
随意に、インジケーションメッセージは、第３のネットワークデバイスによって開始されるＰＤＵセッション確立メッセージへの応答メッセージ、第１のネットワークデバイスによって開始されるＰＤＵセッション変更インジケーションメッセージ、または第２の所定のメッセージのうちの１つを含む。
【００３２】
随意に、変更情報は、第１のネットワークデバイスによって開始される第２のネットワークデバイス変更メッセージ、または第３の所定のメッセージのうちの１つを含む。
【００３３】
別の側面では、本願の実施形態はさらに、データ処理を実装するための方法を提供する。本方法は、下記に説明される２つのステップを含む。
第２のネットワークデバイスは、第１のネットワークデバイスによって伝送される要求メッセージを受信する。
第２のネットワークデバイスは、第１のネットワークデバイスから受信される要求メッセージに従って、応答メッセージを第１のネットワークデバイスにフィードバックする。
要求メッセージは、少なくとも１つの第１のＰＤＵセッション情報を含む。
応答メッセージは、第２のネットワークデバイスへの容認を示す、少なくとも１つの第２のＰＤＵセッション情報を含む。
【００３４】
別の側面では、本願の実施形態はさらに、データ処理を実装するための方法を提供する。本方法は、下記に説明される２つのステップを含む。第３のネットワークデバイスは、第１のネットワークデバイスによって伝送されるインジケーションメッセージを受信する。
第３のネットワークデバイスは、インジケーションメッセージを受信した後に確認応答メッセージを伝送する。
確認応答メッセージは、分割の容認を示す、少なくとも１つの第６のＰＤＵセッション情報を含む。
【００３５】
別の側面では、本願の実施形態はさらに、ネットワークデバイスを提供する。ネットワークデバイスは、第１の伝送ユニットと、第１の受信ユニットとを含む。
第１の伝送ユニットは、要求メッセージを第２のネットワークデバイスに伝送するように構成される。
第１の受信ユニットは、第２のネットワークデバイスによってフィードバックされる応答メッセージを受信するように構成される。
要求メッセージは、少なくとも１つの第１のＰＤＵセッション情報を含み、応答メッセージは、第２のネットワークデバイスへの容認を示す、少なくとも１つの第２のＰＤＵセッション情報を含む。
【００３６】
別の側面では、本願の実施形態はさらに、ネットワークデバイスを提供する。ネットワークデバイスは、第２の受信ユニットと、第２の伝送ユニットとを含む。
第２の受信ユニットは、第１のネットワークデバイスによって伝送される要求メッセージを受信するように構成される。
第２の伝送ユニットは、第１のネットワークデバイスから受信される要求メッセージに従って、応答メッセージを第１のネットワークデバイスにフィードバックするように構成される。
要求メッセージは、少なくとも１つの第１のＰＤＵセッション情報を含む。応答メッセージは、第２のネットワークデバイスへの容認を示す、少なくとも１つの第２のＰＤＵセッション情報を含む。
【００３７】
別の側面では、本願の実施形態はさらに、ネットワークデバイスを提供する。ネットワークデバイスは、第３の受信ユニットと、第３の伝送ユニットとを含む。
第３の受信ユニットは、第１のネットワークデバイスによって伝送されるインジケーションメッセージを受信するように構成される。
第３の伝送ユニットは、インジケーションメッセージを受信した後に確認応答メッセージを第１のネットワークデバイスに伝送するように構成される。
確認応答メッセージは、分割の容認を示す、少なくとも１つの第６のＰＤＵセッション情報を含む。
【００３８】
別の側面では、本願の実施形態はさらに、データ処理を実装するための方法を提供する。本方法は、下記に説明される４つのステップを含む。
第１のネットワークデバイスは、要求メッセージを第２のネットワークデバイスに伝送する。
第２のネットワークデバイスは、第１のネットワークデバイスから受信される要求メッセージに従って、応答メッセージを第１のネットワークデバイスにフィードバックする。
第１のネットワークデバイスは、第２のネットワークデバイスによってフィードバックされる応答メッセージを受信し、インジケーションメッセージを第３のネットワークデバイスに伝送する。
第３のネットワークデバイスは、第１のネットワークデバイスによって伝送されるインジケーションメッセージを受信し、インジケーションメッセージに従ってデータ処理を実施する。
要求メッセージは、少なくとも１つの第１のＰＤＵセッション情報を含み、応答メッセージは、第２のネットワークデバイスへの容認を示す、少なくとも１つの第２のＰＤＵセッション情報を含む。
【００３９】
別の側面では、本願の実施形態はさらに、システムを提供する。本システムは、第１のネットワークデバイスと、第２のネットワークデバイスと、第３のネットワークデバイスとを含む。
第１のネットワークデバイスは、要求メッセージを第２のネットワークデバイスに伝送し、第２のネットワークデバイスによってフィードバックされる応答メッセージを受信し、インジケーションメッセージを第３のネットワークデバイスに伝送するように構成される。
第２のネットワークデバイスは、第１のネットワークデバイスから受信される要求メッセージに従って、応答メッセージを第１のネットワークデバイスにフィードバックするように構成される。
第３のネットワークデバイスは、第１のネットワークデバイスによって伝送されるインジケーションメッセージを受信し、インジケーションメッセージに従ってデータ処理を実施するように構成される。
要求メッセージは、少なくとも１つの第１のＰＤＵセッション情報を含み、応答メッセージは、第２のネットワークデバイスへの容認を示す、少なくとも１つの第２のＰＤＵセッション情報を含む。
【００４０】
関連技術分野と比較して、本願の技術ソリューションは、第１のネットワークデバイスが、要求メッセージを第２のネットワークデバイスに伝送し、第２のネットワークデバイスが、第１のネットワークデバイスから受信される要求メッセージに従って、応答メッセージを第１のネットワークデバイスにフィードバックし、第１のネットワークデバイスが、第２のネットワークデバイスによってフィードバックされる応答メッセージを受信し、インジケーションメッセージを第３のネットワークデバイスに伝送し、第３のネットワークデバイスが、第１のネットワークデバイスによって伝送されるインジケーションメッセージを受信し、インジケーションメッセージに従ってデータを処理することを含む。本願の実施形態は、次世代モバイル通信技術のためのデータ分割およびハンドオーバ処理を実装する。
【００４１】
本願の他の特徴および利点は、説明において本明細書の以降で詳述され、また、説明から部分的に明白となるであろう、または本願の実装を通して理解されるであろう。本願の目的および他の利点は、説明、請求項、および図面に記載される構造を通して実装および取得され得る。
本願明細書は、例えば、以下の項目も提供する。
（項目１）
データ処理を実装するための方法であって、
第１のネットワークデバイスによって、要求メッセージを第２のネットワークデバイスに伝送することと、
前記第１のネットワークデバイスによって、前記第２のネットワークデバイスによってフィードバックされる応答メッセージを受信することと
を含み、
前記要求メッセージは、少なくとも１つの第１のプロトコルデータユニット（ＰＤＵ）セッション情報を備え、前記応答メッセージは、前記第２のネットワークデバイスへの容認を示す、少なくとも１つの第２のＰＤＵセッション情報を備える、方法。
（項目２）
前記第１のＰＤＵセッション情報は、ＰＤＵセッション識別子、次世代（ＮＧ）インターフェースアップリンクトンネルエンドポイント情報、または少なくとも１つのサービス品質（ＱｏＳ）フロー情報のうちの少なくとも１つを備える、項目１に記載の方法。
（項目３）
前記要求メッセージはさらに、少なくとも１つのデータ無線ベアラ（ＤＲＢ）情報またはデータ転送モードインジケーション情報のうちの少なくとも１つを備える、項目２に記載の方法。
（項目４）
前記第１のＰＤＵセッション情報が前記ＱｏＳフロー情報を備えるとき、前記ＱｏＳフロー情報は、ＱｏＳフロー識別子またはＱｏＳプロファイル情報のうちの少なくとも１つを備える、項目１に記載の方法。
（項目５）
前記要求メッセージが前記少なくとも１つのＤＲＢ情報を備えるとき、前記少なくとも１つのＤＲＢ情報のそれぞれは、ＤＲＢ識別子（ＩＤ）、ＤＲＢ構成情報、またはＤＲＢにマッピングされる少なくとも１つのＱｏＳフロー識別子のうちの少なくとも１つを備える、項目３に記載の方法。
（項目６）
前記応答メッセージが、トンネルエンドポイント情報を転送する少なくとも１つのＸｎインターフェースデータを備えるとき、前記方法はさらに、前記第１のネットワークデバイスによって、前記応答メッセージの中でトンネルエンドポイント情報を転送する前記少なくとも１つのＸｎインターフェースデータに従って、データを前記第２のネットワークデバイスに転送することを含み、
前記転送されたデータは、ＱｏＳフロー識別子を備える終了マーカを備える、項目１に記載の方法。
（項目７）
前記第１のネットワークデバイスによって、前記第１のネットワークデバイスのパケットデータ関連付けプロトコル（ＰＤＡＰ）エンティティを通して、Ｘｎインターフェースによって転送される各データパケットの中に前記ＤＲＢ識別子を追加し、前記第２のネットワークデバイスのＰＤＡＰエンティティが、前記ＤＲＢ識別子に従って、前記各データパケットを前記各データパケットと関連付けられるＤＲＢと合致させることを可能にすることをさらに含む、項目６に記載の方法。
（項目８）
前記ＱｏＳプロファイル情報は、ＱｏＳマーキング、反射インジケーション、優先度レベル、パケット遅延予算、パケットエラー率、アップリンク（ＵＬ）およびダウンリンク（ＤＬ）最大フロービットレート、ＵＬおよびＤＬ保証フロービットレート、配分および留保優先度（ＡＲＰ）、または通知制御のうちの少なくとも１つを備える、項目６に記載の方法。
（項目９）
データ転送は、前記ＰＤＵセッションに基づく転送、ＱｏＳフローに基づく転送、またはＤＲＢに基づく転送のうちの少なくとも１つを含む、項目６に記載の方法。
（項目１０）
前記第１のネットワークデバイスが一次基地局であり、前記第２のネットワークデバイスが二次基地局であるとき、前記要求メッセージは、分割要求メッセージであり、前記応答メッセージは、分割応答メッセージである、項目１−９のうちのいずれか１項に記載の方法。
（項目１１）
前記第１のネットワークデバイスによって、前記受信された応答メッセージに従って、インジケーションメッセージを第３のネットワークデバイスに伝送することをさらに含み、
前記第３のネットワークデバイスは、コアネットワークである、項目１０に記載の方法。
（項目１２）
前記インジケーションメッセージは、分割のための要件を示す、少なくとも１つの第３のＰＤＵセッション情報を備える、項目１１に記載の方法。
（項目１３）
前記少なくとも１つの第３のＰＤＵセッション情報のそれぞれは、ＰＤＵセッション識別子、少なくとも１つのＮＧインターフェースダウンリンクトンネルエンドポイント情報、または少なくとも１つのＱｏＳフロー識別子のうちの少なくとも１つを備える、項目１２に記載の方法。
（項目１４）
前記インジケーションメッセージはさらに、少なくとも１つのＮＧインターフェースダウンリンクトンネルエンドポイント情報のそれぞれに対応する少なくとも１つのＱｏＳフロー識別子、または分割モードインジケーションのうちの少なくとも１つを備える、項目１１に記載の方法。
（項目１５）
前記第１のネットワークデバイスによって、変更メッセージを前記第２のネットワークデバイスに伝送することをさらに含み、
前記変更メッセージは、分割の取り消しを示す少なくとも１つの第４のＰＤＵセッション情報を備える、項目１０に記載の方法。
（項目１６）
前記少なくとも１つの第４のＰＤＵセッション情報のそれぞれは、ＰＤＵセッション識別子または少なくとも１つのＱｏＳフロー識別子のうちの少なくとも１つを備える、項目１５に記載の方法。
（項目１７）
前記変更メッセージはさらに、変更される情報を備え、
前記変更される情報は、少なくとも１つのＱｏＳフロー識別子、各ＱｏＳフローに対応するＰＤＵセッション識別子、または変更された後の各ＱｏＳフローのＱｏＳプロファイル情報のうちの少なくとも１つを備える、項目１５に記載の方法。
（項目１８）
前記第１のネットワークデバイスがソース基地局であり、前記第２のネットワークデバイスが標的基地局であるとき、前記要求メッセージは、ハンドオーバ要求メッセージであり、前記応答メッセージは、ハンドオーバ応答メッセージである、項目１−９のうちのいずれか１項に記載の方法。
（項目１９）
前記第１のネットワークデバイスによって、前記受信された応答メッセージに従って、ハンドオーバコマンドをユーザ機器（ＵＥ）に伝送することをさらに含む、項目１８に記載の方法。
（項目２０）
前記第１のネットワークデバイスによって、再構成メッセージをＵＥに伝送することをさらに含む、項目１０に記載の方法。
（項目２１）
前記分割は、前記ＰＤＵセッションに基づく分割およびＱｏＳフローに基づく分割を含む、項目１４に記載の方法。
（項目２２）
前記分割要求メッセージは、前記第１のネットワークデバイスによって開始される第２のネットワークデバイス追加メッセージ、第２のネットワークデバイス変更メッセージ、または第１の所定のメッセージのうちの１つを備える、項目１０に記載の方法。
（項目２３）
前記インジケーションメッセージは、前記第３のネットワークデバイスによって開始されるＰＤＵセッション確立メッセージへの応答メッセージ、前記第１のネットワークデバイスによって開始されるＰＤＵセッション変更インジケーションメッセージ、または第２の所定のメッセージのうちの１つを備える、項目１１に記載の方法。
（項目２４）
前記変更メッセージは、前記第１のネットワークデバイスによって開始される第２のネットワークデバイス変更メッセージ、または第３の所定のメッセージのうちの１つを備える、項目１５に記載の方法。
（項目２５）
データ処理を実装するための方法であって、
第２のネットワークデバイスによって、第１のネットワークデバイスによって伝送される要求メッセージを受信することと、
前記第２のネットワークデバイスによって、前記第１のネットワークデバイスから受信される前記要求メッセージに従って、応答メッセージを前記第１のネットワークデバイスにフィードバックすることと
を含み、
前記要求メッセージは、少なくとも１つの第１のプロトコルデータユニット（ＰＤＵ）セッション情報を備え、
前記応答メッセージは、前記第２のネットワークデバイスへの容認を示す、少なくとも１つの第２のＰＤＵセッション情報を備える、方法。
（項目２６）
前記第１のネットワークデバイスが一次基地局であり、前記第２のネットワークデバイスが二次基地局であるとき、前記要求メッセージは、分割要求メッセージであり、前記応答メッセージは、分割応答メッセージである、項目２５に記載の方法。
（項目２７）
前記第１のネットワークデバイスがソース基地局であり、前記第２のネットワークデバイスが標的基地局であるとき、前記要求メッセージは、ハンドオーバ要求メッセージであり、前記応答メッセージは、ハンドオーバ応答メッセージである、項目２５に記載の方法。
（項目２８）
前記第２のネットワークデバイスによって、ユーザ機器（ＵＥ）のアクセス後に、パス切替要求メッセージを第３のネットワークデバイスに伝送することをさらに含む、項目２７に記載の方法。
（項目２９）
前記応答メッセージの中の前記第２のネットワークデバイスへの容認を示す、前記少なくとも１つの第２のＰＤＵセッション情報は、ＰＤＵセッション識別子、少なくとも１つの次世代（ＮＧ）インターフェースダウンリンクトンネルエンドポイント情報、トンネルエンドポイント情報を転送する少なくとも１つのＸｎインターフェースデータ、トンネルエンドポイントを転送する少なくとも１つのＸｎインターフェースデータに対応するデータ無線ベアラ（ＤＲＢ）識別子、トンネルエンドポイントを転送する少なくとも１つのＸｎインターフェースデータに対応するサービス品質（ＱｏＳ）フロー識別子もしくはＱｏＳフロー識別子リスト、または少なくとも１つのＱｏＳフロー識別子のうちの少なくとも１つを備える、項目２６に記載の方法。
（項目３０）
前記第２のネットワークデバイスへの容認を示す、前記少なくとも１つの第２のＰＤＵセッション情報は、ＰＤＵセッション識別子、トンネルエンドポイント情報を転送する少なくとも１つのＸｎインターフェースデータ、トンネルエンドポイントを転送する少なくとも１つのＸｎインターフェースデータに対応するＤＲＢ識別子、トンネルエンドポイントを転送する少なくとも１つのＸｎインターフェースデータに対応するＱｏＳフロー識別子もしくはＱｏＳフロー識別子リスト、または少なくとも１つのＱｏＳフロー識別子のうちの少なくとも１つを備える、項目２７に記載の方法。
（項目３１）
前記応答メッセージはさらに、容認の拒否を示す、少なくとも１つの第５のＰＤＵセッション情報を備え、
容認の拒否を示す、前記少なくとも１つの第５のＰＤＵセッション情報のそれぞれは、ＰＤＵセッション識別子または少なくとも１つのＱｏＳフロー識別子のうちの少なくとも１つを備える、項目２５−３０のうちのいずれか１項に記載の方法。
（項目３２）
前記要求メッセージが転送モードインジケーションを備えるとき、前記方法はさらに、前記第２のネットワークデバイスによって、前記転送モードインジケーションに従ってＸｎインターフェースデータ転送モードを判定することを含む、項目２６に記載の方法。
（項目３３）
前記第２のネットワークデバイスによって、前記第２のネットワークデバイスのパケットデータ関連付けプロトコル（ＰＤＡＰ）エンティティを通して、Ｘｎインターフェースから受信される終了マーカの中のＱｏＳフロー識別子に従って、ＱｏＳフローの転送が完了することを判定することをさらに含む、項目２６に記載の方法。
（項目３４）
データ処理を実装するための方法であって、
第３のネットワークデバイスによって、第１のネットワークデバイスによって伝送されるインジケーションメッセージを受信することと、
前記第３のネットワークデバイスによって、前記インジケーションメッセージを受信した後に確認応答メッセージを伝送することと
を含み、
前記確認応答メッセージは、分割の容認を示す、少なくとも１つの第６のプロトコルデータユニット（ＰＤＵ）セッション情報を備える、方法。
（項目３５）
前記少なくとも１つの第６のＰＤＵセッション情報のそれぞれは、ＰＤＵセッション識別子または少なくとも１つのサービス品質（ＱｏＳ）フロー識別子のうちの少なくとも１つを備える、項目３４に記載の方法。
（項目３６）
前記確認応答メッセージはさらに、分割の拒否を示す、少なくとも１つの第７のＰＤＵセッション情報を備え、
前記少なくとも１つの第７のＰＤＵセッション情報のそれぞれは、ＰＤＵセッション識別子または少なくとも１つのＱｏＳフロー識別子を備える、項目３４に記載の方法。
（項目３７）
前記確認応答メッセージはさらに、変更される情報を備え、
前記変更される情報は、少なくとも１つのＱｏＳフロー識別子、各ＱｏＳフローに対応するＰＤＵセッション識別子、または変更された後の各ＱｏＳフローのＱｏＳプロファイル情報のうちの少なくとも１つを備える、項目３４−３６のうちのいずれか１項に記載の方法。
（項目３８）
前記第３のネットワークデバイスによって、第２のネットワークデバイスによって伝送されるパス切替要求を受信することと、
前記第３のネットワークデバイスによって、前記受信されたパス切替要求に従って、前記第１のネットワークデバイスから前記第２のネットワークデバイスへのパス切替を実施することと
をさらに含む、項目３４−３６のうちのいずれか１項に記載の方法。
（項目３９）
前記第３のネットワークデバイスによって、各ＱｏＳフローの最後のデータパケットを前記第１のネットワークデバイスに伝送した後に、ＱｏＳフロー識別子を備える終了マーカを前記第１のネットワークデバイスに伝送することをさらに含む、項目３４−３６のうちのいずれか１項に記載の方法。
（項目４０）
前記第３のネットワークデバイスによって、パス切替確認応答メッセージを前記第２のネットワークデバイスに伝送することをさらに含む、項目３９に記載の方法。
（項目４１）
第１の伝送ユニットと、第１の受信ユニットとを備える、ネットワークデバイスであって、
前記第１の伝送ユニットは、要求メッセージを第２のネットワークデバイスに伝送するように構成され、
前記第１の受信ユニットは、前記第２のネットワークデバイスによってフィードバックされる応答メッセージを受信するように構成され、
前記要求メッセージは、少なくとも１つの第１のプロトコルデータユニット（ＰＤＵ）セッション情報を備え、前記応答メッセージは、前記第２のネットワークデバイスへの容認を示す、少なくとも１つの第２のＰＤＵセッション情報を備える、ネットワークデバイス。
（項目４２）
前記第１のＰＤＵセッション情報は、ＰＤＵセッション識別子、次世代（ＮＧ）インターフェースアップリンクトンネルエンドポイント情報、または少なくとも１つのサービス品質（ＱｏＳ）フロー情報のうちの少なくとも１つを備える、項目４１に記載のネットワークデバイス。
（項目４３）
前記要求メッセージはさらに、少なくとも１つのデータ無線ベアラ（ＤＲＢ）情報またはデータ転送モードインジケーション情報のうちの少なくとも１つを備える、項目４２に記載のネットワークデバイス。
（項目４４）
前記要求メッセージが前記少なくとも１つのＤＲＢ情報を備えるとき、前記少なくとも１つのＤＲＢ情報のそれぞれは、ＤＲＢ識別子（ＩＤ）、ＤＲＢ構成情報、またはＤＲＢにマッピングされる少なくとも１つのＱｏＳフロー識別子のうちの少なくとも１つを備える、項目４３に記載のネットワークデバイス。
（項目４５）
前記応答メッセージの中でトンネルエンドポイント情報を転送する少なくとも１つのＸｎインターフェースデータに従って、データを前記第２のネットワークデバイスに転送するように構成されている、第１の転送ユニットをさらに備え、
前記転送されたデータは、ＱｏＳフロー識別子を備える終了マーカを備える、項目４１に記載のネットワークデバイス。
（項目４６）
第１のパケットデータ関連付けプロトコル（ＰＤＡＰ）エンティティをさらに備え、前記第１のパケットデータ関連付けプロトコル（ＰＤＡＰ）エンティティは、Ｘｎインターフェースによって転送される各データパケットの中に前記ＤＲＢ識別子を追加し、前記第２のネットワークデバイスのＰＤＡＰエンティティが、前記ＤＲＢ識別子に従って、前記各データパケットを前記各データパケットと関連付けられるＤＲＢと合致させることを可能にするように構成されている、項目４５に記載のネットワークデバイス。
（項目４７）
前記ネットワークデバイスが一次基地局であり、前記第２のネットワークデバイスが二次基地局であるとき、前記要求メッセージは、分割要求メッセージであり、前記応答メッセージは、分割応答メッセージである、項目４１−４６のうちのいずれか１項に記載のネットワークデバイス。
（項目４８）
前記第１の伝送ユニットはさらに、前記受信された応答メッセージに従って、インジケーションメッセージを第３のネットワークデバイスに伝送するように構成され、
前記第３のネットワークデバイスは、コアネットワークである、項目４７に記載のネットワークデバイス。
（項目４９）
前記インジケーションメッセージは、分割のための要件を示す、少なくとも１つの第３のＰＤＵセッション情報を備える、項目４８に記載のネットワークデバイス。
（項目５０）
前記インジケーションメッセージはさらに、少なくとも１つのＮＧインターフェースダウンリンクトンネルエンドポイント情報のそれぞれに対応する少なくとも１つのＱｏＳフロー識別子、または分割モードインジケーションのうちの少なくとも１つを備える、項目４８に記載のネットワークデバイス。
（項目５１）
前記第１の伝送ユニットはさらに、変更メッセージを前記第２のネットワークデバイスに伝送するように構成され、
前記変更メッセージは、分割の取り消しを示す、少なくとも１つの第４のＰＤＵセッション情報を備える、項目４７に記載のネットワークデバイス。
（項目５２）
前記変更メッセージはさらに、変更される情報を備え、
前記変更される情報は、少なくとも１つのＱｏＳフロー識別子、各ＱｏＳフローに対応するＰＤＵセッション識別子、または変更された後の各ＱｏＳフローのＱｏＳプロファイル情報のうちの少なくとも１つを備える、項目５１に記載のネットワークデバイス。
（項目５３）
前記ネットワークデバイスがソース基地局であり、前記第２のネットワークデバイスが標的基地局であるとき、前記要求メッセージは、ハンドオーバ要求メッセージであり、前記応答メッセージは、ハンドオーバ応答メッセージである、項目４１−４６のうちのいずれか１項に記載のネットワークデバイス。
（項目５４）
前記第１の伝送ユニットはさらに、前記受信された応答メッセージに従って、ハンドオーバコマンドをユーザ機器（ＵＥ）に伝送するように構成されている、項目５３に記載のネットワークデバイス。
（項目５５）
前記第１の伝送ユニットはさらに、再構成メッセージを前記ＵＥに伝送するように構成されている、項目４７に記載のネットワークデバイス。
（項目５６）
第２の受信ユニットと、第２の伝送ユニットとを備える、ネットワークデバイスであって、
前記第２の受信ユニットは、第１のネットワークデバイスによって伝送される要求メッセージを受信するように構成され、
前記第２の伝送ユニットは、前記第１のネットワークデバイスから受信される前記要求メッセージに従って、応答メッセージを前記第１のネットワークデバイスにフィードバックするように構成され、
前記要求メッセージは、少なくとも１つの第１のプロトコルデータユニット（ＰＤＵ）セッション情報を備え、前記応答メッセージは、前記第２のネットワークデバイスへの容認を示す、少なくとも１つの第２のＰＤＵセッション情報を備える、ネットワークデバイス。
（項目５７）
前記ネットワークデバイスが二次基地局であり、前記第１のネットワークデバイスが一次基地局であるとき、前記要求メッセージは、分割要求メッセージであり、前記応答メッセージは、分割応答メッセージである、項目５６に記載のネットワークデバイス。
（項目５８）
前記ネットワークデバイスが標的基地局であり、前記第１のネットワークデバイスがソース基地局であるとき、前記要求メッセージは、ハンドオーバ要求メッセージであり、前記応答メッセージは、ハンドオーバ応答メッセージである、項目５６に記載のネットワークデバイス。
（項目５９）
前記第２の伝送ユニットはさらに、ユーザ機器（ＵＥ）のアクセス後に、パス切替要求メッセージを第３のネットワークデバイスに伝送するように構成されている、項目５６に記載のネットワークデバイス。
（項目６０）
前記応答メッセージの中の前記第２のネットワークデバイスへの容認を示す、前記少なくとも１つの第２のＰＤＵセッション情報は、ＰＤＵセッション識別子、少なくとも１つの次世代（ＮＧ）インターフェースダウンリンクトンネルエンドポイント情報、トンネルエンドポイント情報を転送する少なくとも１つのＸｎインターフェースデータ、トンネルエンドポイントを転送する少なくとも１つのＸｎインターフェースデータに対応するデータ無線ベアラ（ＤＲＢ）識別子、トンネルエンドポイントを転送する少なくとも１つのＸｎインターフェースデータに対応するサービス品質（ＱｏＳ）フロー識別子もしくはＱｏＳフロー識別子リスト、または少なくとも１つのＱｏＳフロー識別子のうちの少なくとも１つを備える、項目５７に記載のネットワークデバイス。
（項目６１）
前記第２のネットワークデバイスへの容認を示す、前記少なくとも１つの第２のＰＤＵセッション情報は、ＰＤＵセッション識別子、トンネルエンドポイント情報を転送する少なくとも１つのＸｎインターフェースデータ、トンネルエンドポイントを転送する少なくとも１つのＸｎインターフェースデータに対応するＤＲＢ識別子、トンネルエンドポイントを転送する少なくとも１つのＸｎインターフェースデータに対応するＱｏＳフロー識別子もしくはＱｏＳフロー識別子リスト、または少なくとも１つのＱｏＳフロー識別子のうちの少なくとも１つを備える、項目５８に記載のネットワークデバイス。
（項目６２）
前記応答メッセージはさらに、容認の拒否を示す、少なくとも１つの第５のＰＤＵセッション情報を備え、
容認の拒否を示す、前記少なくとも１つの第５のＰＤＵセッション情報のそれぞれは、ＰＤＵセッション識別子または少なくとも１つのＱｏＳフロー識別子のうちの少なくとも１つを備える、項目５７−６１のうちのいずれか１項に記載のネットワークデバイス。
（項目６３）
前記要求メッセージが転送モードインジケーションを備えるときに、前記転送モードインジケーションに従ってＸｎインターフェースデータ転送モードを判定するように構成されている、第２の転送モード判定ユニットをさらに備える、項目５９に記載のネットワークデバイス。
（項目６４）
Ｘｎインターフェースから受信される終了マーカの中のＱｏＳフロー識別子に従って、ＱｏＳフローの転送が完了することを判定するように構成されている、第２のパケットデータ関連付けプロトコル（ＰＤＡＰ）エンティティをさらに備える、項目５９に記載のネットワークデバイス。
（項目６５）
第３の受信ユニットと、第３の伝送ユニットとを備える、ネットワークデバイスであって、
前記第３の受信ユニットは、第１のネットワークデバイスによって伝送されるインジケーションメッセージを受信するように構成され、
前記第３の伝送ユニットは、前記インジケーションメッセージを受信した後に確認応答メッセージを前記第１のネットワークデバイスに伝送するように構成され、
前記確認応答メッセージは、分割の容認を示す、少なくとも１つの第６のプロトコルデータユニット（ＰＤＵ）セッション情報を備える、ネットワークデバイス。
（項目６６）
前記確認応答メッセージはさらに、分割の拒否を示す、少なくとも１つの第７のＰＤＵセッション情報を備え、
前記少なくとも１つの第７のＰＤＵセッション情報のそれぞれは、ＰＤＵセッション識別子または少なくとも１つのサービス品質（ＱｏＳ）フロー識別子のうちの１つを備える、項目６５に記載のネットワークデバイス。
（項目６７）
前記確認応答メッセージはさらに、変更される情報を備え、
前記変更される情報は、少なくとも１つのＱｏＳフロー識別子、各ＱｏＳフローに対応するＰＤＵセッション識別子、または変更された後の各ＱｏＳフローのＱｏＳプロファイル情報のうちの少なくとも１つを備える、項目６５または６６に記載のネットワークデバイス。
（項目６８）
前記第３の受信ユニットはさらに、第２のネットワークデバイスによって伝送されるパス切替要求を受信するように構成され、
前記ネットワークデバイスはさらに、前記受信されたパス切替要求に従って、前記第１のネットワークデバイスから前記第２のネットワークデバイスへのパス切替を実施するように構成されている、第３のパス切替ユニットを備える、項目６５または６６に記載のネットワークデバイス。
（項目６９）
前記第３の伝送ユニットはさらに、各ＱｏＳフローの最後のデータパケットを前記第１のネットワークデバイスに伝送した後に、ＱｏＳフロー識別子を備える終了マーカを前記第１のネットワークデバイスに伝送するように構成されている、項目６５または６６に記載のネットワークデバイス。
（項目７０）
前記第３の伝送ユニットはさらに、パス切替確認応答メッセージを前記第２のネットワークデバイスに伝送するように構成されている、項目６９に記載のネットワークデバイス。
（項目７１）
データ処理を実装するための方法であって、
第１のネットワークデバイスによって、要求メッセージを第２のネットワークデバイスに伝送することと、
前記第２のネットワークデバイスによって、前記第１のネットワークデバイスから受信される前記要求メッセージに従って、応答メッセージを前記第１のネットワークデバイスにフィードバックすることと、
前記第１のネットワークデバイスによって、前記第２のネットワークデバイスによってフィードバックされる前記応答メッセージを受信し、インジケーションメッセージを第３のネットワークデバイスに伝送することと、
前記第３のネットワークデバイスによって、前記第１のネットワークデバイスによって伝送される前記インジケーションメッセージを受信し、前記インジケーションメッセージに従ってデータ処理を実施することと
を含み、
前記要求メッセージは、少なくとも１つの第１のプロトコルデータユニット（ＰＤＵ）セッション情報を備え、前記応答メッセージは、容認を示す、少なくとも１つの第２のＰＤＵセッション情報を備える、方法。
（項目７２）
前記第１のネットワークデバイスが一次基地局であり、前記第２のネットワークデバイスが二次基地局であり、前記第３のネットワークデバイスがコアネットワークであるとき、前記要求メッセージは、分割要求メッセージであり、前記応答メッセージは、分割応答メッセージであり、または
前記第１のネットワークデバイスがソース基地局であり、前記第２のネットワークデバイスが標的基地局であり、前記第３のネットワークデバイスがコアネットワークであるとき、前記要求メッセージは、ハンドオーバ要求メッセージであり、前記応答メッセージは、ハンドオーバ応答メッセージである、項目７１に記載の方法。
（項目７３）
第１のネットワークデバイスと、第２のネットワークデバイスと、第３のネットワークデバイスとを備える、システムであって、
前記第１のネットワークデバイスは、要求メッセージを前記第２のネットワークデバイスに伝送し、前記第２のネットワークデバイスによってフィードバックされる応答メッセージを受信し、インジケーションメッセージを前記第３のネットワークデバイスに伝送するように構成され、
前記第２のネットワークデバイスは、前記第１のネットワークデバイスから受信される前記要求メッセージに従って、応答メッセージを前記第１のネットワークデバイスにフィードバックするように構成され、
前記第３のネットワークデバイスは、前記第１のネットワークデバイスによって伝送される前記インジケーションメッセージを受信し、前記インジケーションメッセージに従ってデータ処理を実施するように構成され、
前記要求メッセージは、少なくとも１つの第１のプロトコルデータユニット（ＰＤＵ）セッション情報を備え、前記応答メッセージは、容認を示す、少なくとも１つの第２のＰＤＵセッション情報を備える、システム。
（項目７４）
前記第１のネットワークデバイスが一次基地局であり、前記第２のネットワークデバイスが二次基地局であり、前記第３のネットワークデバイスがコアネットワークであるとき、前記要求メッセージは、分割要求メッセージであり、前記応答メッセージは、分割応答メッセージであり、または
前記第１のネットワークデバイスがソース基地局であり、前記第２のネットワークデバイスが標的基地局であり、前記第３のネットワークデバイスがコアネットワークであるとき、前記要求メッセージは、ハンドオーバ要求メッセージであり、前記応答メッセージは、ハンドオーバ応答メッセージである、項目７３に記載のシステム。
（項目７５）
項目１−２４および項目２５−４０のうちのいずれか１項に記載のデータ処理を実装するための方法を実行するためのコンピュータ実行可能命令を記憶するように構成されている、記憶媒体。
【００４２】
図面は、本願の技術ソリューションのさらなる理解のために提供され、説明の一部を構成する。本願の図面および実施形態は、本願の技術ソリューションを解説するために使用され、本願の技術ソリューションを限定することを意図していない。
【図面の簡単な説明】
【００４３】
【図１】図１は、関連技術分野内のＬＴＥモバイル通信システムのブロック図である。
【図２】図２は、５Ｇモバイル通信ネットワークの構造図である。
【図３】図３は、本願のある実施形態による、データ処理を実装するための方法のフローチャートである。
【図４】図４は、本願の別の実施形態による、データ処理を実装するための方法のフローチャートである。
【図５】図５は、本願のさらに別の実施形態による、データ処理を実装するための方法のフローチャートである。
【図６】図６は、本願のある実施形態による、ネットワークデバイスの構造図である。
【図７】図７は、本願の別の実施形態による、ネットワークデバイスの構造図である。
【図８】図８は、本願のさらに別の実施形態による、ネットワークデバイスの構造図である。
【図９】図９は、本願のさらに別の実施形態による、データ処理を実装するための方法のフローチャートである。
【図１０】図１０は、実施形態１のネットワーク構造の概略図である。
【図１１】図１１は、実施形態１の方法フローチャートである。
【図１２】図１２は、実施形態２のネットワーク構造の概略図である。
【図１３】図１３は、実施形態３のネットワーク構造の概略図である。
【図１４】図１４は、実施形態３の方法フローチャートである。
【図１５】図１５は、実施形態４のネットワーク構造の概略図である。
【図１６】図１６は、実施形態５のネットワーク構造の概略図である。
【図１７】図１７は、実施形態５の方法フローチャートである。
【図１８】図１８は、実施形態６のネットワーク構造の概略図である。
【図１９】図１９は、実施形態６の方法フローチャートである。
【図２０】図２０は、実施形態７のネットワーク構造の概略図である。
【図２１】図２１は、実施形態８のネットワーク構造の概略図である。
【図２２】図２２は、実施形態９のネットワーク構造の概略図である。
【図２３】図２３は、実施形態９の方法フローチャートである。
【図２４】図２４は、実施形態１０のネットワーク構造の概略図である。
【図２５】図２５は、実施形態１０の方法フローチャートである。
【発明を実施するための形態】
【００４４】
（詳細な説明）
本願の目的、技術ソリューション、および利点は、図面と併せて本願の発明を実施するための形態から、より明確になるであろう。矛盾しない場合、本願における実施形態およびその中の特徴は、相互と組み合わせられ得ることに留意されたい。
【００４５】
図面のフローチャートに示されるステップは、命令を実行することが可能なコンピュータの群等のコンピュータシステムによって実施されてもよい。論理的順序がフローチャートに示されるが、示される、または説明されるステップは、ある場合には、本明細書に説明されるものと異なる順序で実施されてもよい。
【００４６】
図３は、本願のある実施形態による、データ処理を実装するための方法のフローチャートである。図３に示されるように、本方法は、下記に説明されるステップ３０および３１を含む。
【００４７】
ステップ３０では、第１のネットワークデバイスが、要求メッセージを第２のネットワークデバイスに伝送する。要求メッセージは、少なくとも１つの第１のプロトコルデータユニット（ＰＤＵ）セッション情報を含む。
【００４８】
随意に、実施形態では、第１のＰＤＵセッション情報は、ＰＤＵセッション識別子、次世代（ＮＧ）インターフェースアップリンクトンネルエンドポイント情報、または少なくとも１つのサービス品質（ＱｏＳ）フロー情報のうちの少なくとも１つを含む。
【００４９】
随意に、実施形態では、要求メッセージはさらに、少なくとも１つのデータ無線ベアラ（ＤＲＢ）情報またはデータ転送モードインジケーション情報のうちの少なくとも１つを含む。
【００５０】
随意に、実施形態では、第１のＰＤＵセッション情報がＱｏＳフロー情報を含むとき、ＱｏＳフロー情報は、ＱｏＳフロー識別子またはＱｏＳプロファイル情報のうちの少なくとも１つを含む。
【００５１】
随意に、実施形態では、要求メッセージが少なくとも１つのＤＲＢ情報を含むとき、少なくとも１つのＤＲＢ情報のそれぞれは、ＤＲＢ識別子、ＤＲＢ構成情報、またはＤＲＢにマッピングされる少なくとも１つのＱｏＳフロー識別子のうちの少なくとも１つを含む。
【００５２】
ステップ３１では、第１のネットワークデバイスが、第２のネットワークデバイスによってフィードバックされる応答メッセージを受信する。
応答メッセージは、第２のネットワークデバイスへの容認を示す、少なくとも１つの第２のＰＤＵセッション情報を含む。
【００５３】
随意に、実施形態では、応答メッセージが、トンネルエンドポイント情報を転送する少なくとも１つのＸｎインターフェースデータを含むとき、本方法はさらに、下記に説明されるステップを含む。
第１のネットワークデバイスは、応答メッセージの中でトンネルエンドポイント情報を転送する少なくとも１つのＸｎインターフェースデータに従って、データを第２のネットワークデバイスに転送する。
転送されたデータは、ＱｏＳフロー識別子を含む、終了マーカを含む。
【００５４】
随意に、本方法はさらに、下記に説明されるステップを含む。
第１のネットワークデバイスは、第１のネットワークデバイスのパケットデータ関連付けプロトコル（ＰＤＡＰ）エンティティを通して、Ｘｎインターフェースによって転送される各データパケットの中にＤＲＢ識別子を追加し、第２のネットワークデバイスのＰＤＡＰエンティティが、ＤＲＢ識別子に従って、各データパケットを各データパケットと関連付けられるＤＲＢと合致させることを可能にする。
【００５５】
随意に、実施形態では、ＱｏＳプロファイル情報は、ＱｏＳマーキング、反射インジケーション、優先度レベル、パケット遅延予算、パケットエラー率、アップリンク（ＵＬ）およびダウンリンク（ＤＬ）最大フロービットレート、ＵＬおよびＤＬ保証フロービットレート、配分および留保優先度（ＡＲＰ）、または通知制御のうちの少なくとも１つを含む。
【００５６】
随意に、実施形態では、データ転送は、ＰＤＵセッションに基づく転送、ＱｏＳフローに基づく転送、またはＤＲＢに基づく転送のうちの少なくとも１つを含む。
【００５７】
実施形態では、第１のネットワークデバイスが一次基地局であり、第２のネットワークデバイスが二次基地局であるとき、要求メッセージは、分割要求メッセージであり、応答メッセージは、分割応答メッセージである。
【００５８】
随意に、実施形態では、本方法はさらに、下記に説明されるステップを含む。
第１のネットワークデバイスは、受信された応答メッセージに従って、インジケーションメッセージを第３のネットワークデバイスに伝送する。
第３のネットワークデバイスは、コアネットワークである。
【００５９】
随意に、実施形態では、インジケーションメッセージは、分割のための要件を示す、少なくとも１つの第３のＰＤＵセッション情報を含む。
【００６０】
随意に、実施形態では、少なくとも１つの第３のＰＤＵセッション情報のそれぞれは、ＰＤＵセッション識別子、少なくとも１つのＮＧインターフェースダウンリンクトンネルエンドポイント情報、または少なくとも１つのＱｏＳフロー識別子のうちの少なくとも１つを含む。
【００６１】
随意に、実施形態では、インジケーションメッセージはさらに、少なくとも１つのＮＧインターフェースダウンリンクトンネルエンドポイント情報のそれぞれに対応する、少なくとも１つのＱｏＳフロー識別子、または分割モードインジケーションのうちの少なくとも１つを含む。
【００６２】
随意に、実施形態では、本方法はさらに、下記に説明されるステップを含む。
第１のネットワークデバイスは、変更メッセージを第２のネットワークデバイスに伝送する。
変更メッセージは、分割の取り消しを示す、少なくとも１つの第４のＰＤＵセッション情報を含む。
【００６３】
随意に、実施形態では、少なくとも１つの第４のＰＤＵセッション情報のそれぞれは、ＰＤＵセッション識別子または少なくとも１つのＱｏＳフロー識別子のうちの少なくとも１つを含む。
【００６４】
随意に、実施形態では、変更メッセージはさらに、変更される情報を含む。
変更される情報は、少なくとも１つのＱｏＳフロー識別子、各ＱｏＳフローに対応するＰＤＵセッション識別子、または変更された後の各ＱｏＳフローのＱｏＳプロファイル情報のうちの少なくとも１つを含む。
【００６５】
随意に、実施形態では、第１のネットワークデバイスがソース基地局であり、第２のネットワークデバイスが標的基地局であるとき、要求メッセージは、ハンドオーバ要求メッセージであり、応答メッセージは、ハンドオーバ応答メッセージである。
【００６６】
随意に、実施形態では、本方法はさらに、下記に説明されるステップを含む。
第１のネットワークデバイスは、受信された応答メッセージに従って、ハンドオーバコマンドをユーザ機器（ＵＥ）に伝送する。
【００６７】
随意に、実施形態では、本方法はさらに、下記に説明されるステップを含む。
第１のネットワークデバイスは、再構成メッセージをＵＥに伝送する。
【００６８】
随意に、実施形態では、分割は、ＰＤＵセッションに基づく分割およびＱｏＳフローに基づく分割を含む。
【００６９】
随意に、実施形態では、分割要求メッセージは、第１のネットワークデバイスによって開始される第２のネットワークデバイス追加メッセージ、第２のネットワークデバイス変更メッセージ、または第１の所定のメッセージのうちの１つを含む。
【００７０】
随意に、実施形態では、インジケーションメッセージは、第３のネットワークデバイスによって開始されるＰＤＵセッション確立メッセージへの応答メッセージ、第１のネットワークデバイスによって開始されるＰＤＵセッション変更インジケーションメッセージ、または第２の所定のメッセージのうちの１つを含む。
【００７１】
随意に、実施形態では、変更メッセージは、第１のネットワークデバイスによって開始される第２のネットワークデバイス変更メッセージ、または第３の所定のメッセージのうちの１つを含む。
【００７２】
実施形態は、次世代モバイル通信技術のためのデータ分割およびハンドオーバ処理を実装する。
【００７３】
実施形態はさらに、上記に説明されるデータ処理を実装するための方法を実行するためのコンピュータ実行可能命令を記憶するように構成される、コンピュータ記憶媒体を提供する。
【００７４】
図４は、本願の別の実施形態による、データ処理を実装するための方法のフローチャートである。図４に示されるように、本方法は、下記に説明されるステップ４０および４１を含む。
【００７５】
ステップ４０では、第２のネットワークデバイスが、第１のネットワークデバイスによって伝送される要求メッセージを受信する。
要求メッセージは、少なくとも１つの第１のＰＤＵセッション情報を含む。
【００７６】
ステップ４１では、第２のネットワークデバイスが、第１のネットワークデバイスから受信される要求メッセージに従って、応答メッセージを第１のネットワークデバイスにフィードバックする。
応答メッセージは、第２のネットワークデバイスへの容認を示す、少なくとも１つの第２のＰＤＵセッション情報を含む。
【００７７】
随意に、実施形態では、第１のネットワークデバイスが一次基地局であり、第２のネットワークデバイスが二次基地局であるとき、要求メッセージは、分割要求メッセージであり、応答メッセージは、分割応答メッセージである。
【００７８】
随意に、実施形態では、第１のネットワークデバイスがソース基地局であり、第２のネットワークデバイスが標的基地局であるとき、要求メッセージは、ハンドオーバ要求メッセージであり、応答メッセージは、ハンドオーバ応答メッセージである。
【００７９】
随意に、実施形態では、本方法はさらに、下記に説明されるステップを含む。
第２のネットワークデバイスは、ＵＥのアクセス後に、パス切替要求メッセージを第３のネットワークデバイスに伝送する。
【００８０】
随意に、実施形態では、応答メッセージの中の第２のネットワークデバイスへの容認を示す、少なくとも１つの第２のＰＤＵセッション情報は、ＰＤＵセッション識別子、少なくとも１つの次世代（ＮＧ）インターフェースダウンリンクトンネルエンドポイント情報、トンネルエンドポイント情報を転送する少なくとも１つのＸｎインターフェースデータ、トンネルエンドポイントを転送する少なくとも１つのＸｎインターフェースデータに対応する、ＤＲＢ識別子、トンネルエンドポイントを転送する少なくとも１つのＸｎインターフェースデータに対応する、ＱｏＳフロー識別子もしくはＱｏＳフロー識別子リスト、または少なくとも１つのＱｏＳフロー識別子のうちの少なくとも１つを含む。
【００８１】
随意に、実施形態では、第２のネットワークデバイスへの容認を示す、少なくとも１つの第２のＰＤＵセッション情報は、ＰＤＵセッション識別子、トンネルエンドポイント情報を転送する少なくとも１つのＸｎインターフェースデータ、トンネルエンドポイントを転送する少なくとも１つのＸｎインターフェースデータに対応する、ＤＲＢ識別子、トンネルエンドポイントを転送する少なくとも１つのＸｎインターフェースデータに対応する、ＱｏＳフロー識別子もしくはＱｏＳフロー識別子リスト、または少なくとも１つのＱｏＳフロー識別子のうちの少なくとも１つを含む。
【００８２】
随意に、実施形態では、応答メッセージはさらに、容認の拒否を示す、少なくとも１つの第５のＰＤＵセッション情報を含む。
容認の拒否を示す、少なくとも１つの第５のＰＤＵセッション情報のそれぞれは、ＰＤＵセッション識別子または少なくとも１つのＱｏＳフロー識別子のうちの少なくとも１つを含む。
【００８３】
随意に、要求メッセージが転送モードインジケーションを含むとき、本方法はさらに、下記に説明されるステップを含む。
第２のネットワークデバイスは、転送モードインジケーションに従ってＸｎインターフェースデータ転送モードを判定する。
【００８４】
随意に、実施形態では、本方法はさらに、下記に説明されるステップを含む。
第２のネットワークデバイスは、第２のネットワークデバイスのＰＤＡＰエンティティを通して、Ｘｎインターフェースから受信される終了マーカの中のＱｏＳフロー識別子に従って、ＱｏＳフローの転送が完了することを判定する。
【００８５】
実施形態は、次世代モバイル通信技術のためのデータ分割およびハンドオーバ処理を実装する。
【００８６】
実施形態はさらに、上記に説明されるデータ処理を実装するための方法を実行するためのコンピュータ実行可能命令を記憶するように構成される、コンピュータ記憶媒体を提供する。
【００８７】
図５は、本願のさらに別の実施形態による、データ処理を実装するための方法のフローチャートである。図５に示されるように、本方法は、下記に説明されるステップ５０および５１を含む。
【００８８】
ステップ５０では、第３のネットワークデバイスが、第１のネットワークデバイスによって伝送されるインジケーションメッセージを受信する。
【００８９】
ステップ５１では、第３のネットワークデバイスが、インジケーションメッセージを受信した後に確認応答メッセージを伝送する。
確認応答メッセージは、分割の容認を示す、少なくとも１つの第６のＰＤＵセッション情報を含む。
【００９０】
随意に、実施形態では、少なくとも１つの第６のＰＤＵセッション情報のそれぞれは、ＰＤＵセッション識別子または少なくとも１つのＱｏＳフロー識別子のうちの少なくとも１つを含む。
【００９１】
随意に、実施形態では、確認応答メッセージはさらに、分割の拒否を示す、少なくとも１つの第７のＰＤＵセッション情報を含む。
少なくとも１つの第７のＰＤＵセッション情報のそれぞれは、ＰＤＵセッション識別子または少なくとも１つのＱｏＳフロー識別子のうちの１つを含む。
【００９２】
随意に、実施形態では、確認応答メッセージはさらに、変更される情報を含む。
変更される情報は、少なくとも１つのＱｏＳフロー識別子、各ＱｏＳフローに対応するＰＤＵセッション識別子、または変更された後の各ＱｏＳフローのＱｏＳプロファイル情報のうちの少なくとも１つを含む。
【００９３】
随意に、実施形態では、本方法はさらに、下記に説明される２つのステップを含む。
第３のネットワークデバイスは、第２のネットワークデバイスによって伝送されるパス切替要求を受信する。
第３のネットワークデバイスは、受信されたパス切替要求に従って、第１のネットワークデバイスから第２のネットワークデバイスへのパス切替を実施する。
【００９４】
随意に、実施形態では、本方法はさらに、下記に説明されるステップを含む。
第３のネットワークデバイスは、各ＱｏＳフローの最後のデータパケットを第１のネットワークデバイスに伝送した後に、ＱｏＳフロー識別子を含む終了マーカを第１のネットワークデバイスに伝送する。
【００９５】
随意に、実施形態では、本方法はさらに、下記に説明されるステップを含む。
第３のネットワークデバイスは、パス切替確認応答メッセージを第２のネットワークデバイスに伝送する。
【００９６】
実施形態は、次世代モバイル通信技術のためのデータ分割およびハンドオーバ処理を実装する。
【００９７】
実施形態はさらに、上記に説明されるデータ処理を実装するための方法を実行するためのコンピュータ実行可能命令を記憶するように構成される、コンピュータ記憶媒体を提供する。
【００９８】
図６は、本願のある実施形態による、ネットワークデバイスの構造図である。図６に示されるように、ネットワークデバイスは、第１の伝送ユニット（または第１の送信機）１０と、第１の受信ユニット（第１の受信機）１１とを含む。
第１の伝送ユニット１０は、要求メッセージを第２のネットワークデバイスに伝送するように構成される。
要求メッセージは、少なくとも１つの第１のＰＤＵセッション情報を含む。
【００９９】
随意に、第１のＰＤＵセッション情報は、ＰＤＵセッション識別子、ＮＧインターフェースアップリンクトンネルエンドポイント情報、または少なくとも１つのＱｏＳフロー情報のうちの少なくとも１つを含む。
【０１００】
随意に、要求メッセージはさらに、少なくとも１つのＤＲＢ情報またはデータ転送モードインジケーション情報のうちの少なくとも１つを含む。
【０１０１】
随意に、実施形態では、第１のＰＤＵセッション情報がＱｏＳフロー情報を含むとき、ＱｏＳフロー情報は、ＱｏＳフロー識別子またはＱｏＳプロファイル情報のうちの少なくとも１つを含む。
【０１０２】
随意に、要求メッセージが少なくとも１つのＤＲＢ情報を含むとき、少なくとも１つのＤＲＢ情報のそれぞれは、ＤＲＢ識別子、ＤＲＢ構成情報、またはＤＲＢにマッピングされる少なくとも１つのＱｏＳフロー識別子のうちの少なくとも１つを含む。
第１の受信ユニット１１は、第２のネットワークデバイスによってフィードバックされる応答メッセージを受信するように構成される。
応答メッセージは、容認を示す、少なくとも１つの第２のＰＤＵセッション情報を含む。
【０１０３】
随意に、実施形態では、ネットワークデバイスはさらに、第１の転送ユニット１２を含む。
第１の転送ユニット１２は、応答メッセージの中でトンネルエンドポイント情報を転送する少なくとも１つのＸｎインターフェースデータに従って、データを第２のネットワークデバイスに転送するように構成される。
転送されたデータは、ＱｏＳフロー識別子を含む、終了マーカを含む。
【０１０４】
随意に、実施形態では、ネットワークデバイスはさらに、第１のＰＤＡＰエンティティ１３を含む。
第１のＰＤＡＰエンティティ１３は、Ｘｎインターフェースによって転送される各データパケットの中にＤＲＢ識別子を追加し、第２のネットワークデバイスのＰＤＡＰエンティティが、ＤＲＢ識別子に従って、各データパケットを各データパケットと関連付けられるＤＲＢと合致させることを可能にするように構成される。
【０１０５】
随意に、実施形態では、ＱｏＳプロファイル情報は、ＱｏＳマーキング、反射インジケーション、優先度レベル、パケット遅延予算、パケットエラー率、ＵＬおよびＤＬ最大フロービットレート、ＵＬおよびＤＬ保証フロービットレート、ＡＲＰ、または通知制御のうちの少なくとも１つを含む。
【０１０６】
随意に、実施形態では、データ転送は、ＰＤＵセッションに基づく転送、ＱｏＳフローに基づく転送、またはＤＲＢに基づく転送のうちの少なくとも１つを含む。
【０１０７】
随意に、実施形態では、ネットワークデバイスが一次基地局であり、第２のネットワークデバイスが二次基地局であるとき、要求メッセージは、分割要求メッセージであり、応答メッセージは、分割応答メッセージである。
【０１０８】
随意に、第１の伝送ユニット１０はさらに、受信された応答メッセージに従って、インジケーションメッセージを第３のネットワークデバイスに伝送するように構成される。
第３のネットワークデバイスは、コアネットワークである。
【０１０９】
随意に、インジケーションメッセージは、分割のための要件を示す、少なくとも１つの第３のＰＤＵセッション情報を含む。
【０１１０】
随意に、実施形態では、少なくとも１つの第３のＰＤＵセッション情報のそれぞれは、ＰＤＵセッション識別子、少なくとも１つのＮＧインターフェースダウンリンクトンネルエンドポイント情報、または少なくとも１つのＱｏＳフロー識別子のうちの少なくとも１つを含む。
【０１１１】
随意に、インジケーションメッセージはさらに、少なくとも１つのＮＧインターフェースダウンリンクトンネルエンドポイント情報のそれぞれに対応する、少なくとも１つのＱｏＳフロー識別子、または分割モードインジケーションのうちの少なくとも１つを含む。
【０１１２】
随意に、第１の伝送ユニット１０はさらに、変更メッセージを第２のネットワークデバイスに伝送するように構成される。
変更メッセージは、分割の取り消しを示す、少なくとも１つの第４のＰＤＵセッション情報を含む。
【０１１３】
随意に、実施形態では、少なくとも１つの第４のＰＤＵセッション情報のそれぞれは、ＰＤＵセッション識別子または少なくとも１つのＱｏＳフロー識別子のうちの少なくとも１つを含む。
【０１１４】
随意に、変更メッセージはさらに、変更される情報を含む。
変更される情報は、少なくとも１つのＱｏＳフロー識別子、各ＱｏＳフローに対応するＰＤＵセッション識別子、または変更された後の各ＱｏＳフローのＱｏＳプロファイル情報のうちの少なくとも１つを含む。
【０１１５】
随意に、ネットワークデバイスがソース基地局であり、第２のネットワークデバイスが標的基地局であるとき、要求メッセージは、ハンドオーバ要求メッセージであり、応答メッセージは、ハンドオーバ応答メッセージである。
【０１１６】
随意に、第１の伝送ユニット１０はさらに、受信された応答メッセージに従って、ハンドオーバコマンドをＵＥに伝送するように構成される。
【０１１７】
随意に、第１の伝送ユニット１０はさらに、再構成メッセージをＵＥに伝送するように構成される。
【０１１８】
随意に、実施形態では、分割は、ＰＤＵセッションに基づく分割およびＱｏＳフローに基づく分割を含む。
【０１１９】
随意に、実施形態では、分割要求メッセージは、ネットワークデバイスによって開始される第２のネットワークデバイス追加メッセージ、第２のネットワークデバイス変更メッセージ、または第１の所定のメッセージのうちの１つを含む。
【０１２０】
随意に、実施形態では、インジケーションメッセージは、第３のネットワークデバイスによって開始されるＰＤＵセッション確立メッセージへの応答メッセージ、ネットワークデバイスによって開始されるＰＤＵセッション変更インジケーションメッセージ、または第２の所定のメッセージのうちの１つを含む。
【０１２１】
随意に、実施形態では、変更メッセージは、第１のネットワークデバイスによって開始される第２のネットワークデバイス変更メッセージ、または第３の所定のメッセージのうちの１つを含む。
【０１２２】
図７は、本願の別の実施形態による、ネットワークデバイスの構造図である。
図７に示されるように、ネットワークデバイスは、第２の受信ユニット（または第２の受信機）２０と、第２の伝送ユニット（または第２の送信機）２１とを含む。
第２の受信ユニット２０は、第１のネットワークデバイスによって伝送される要求メッセージを受信するように構成される。
第２の伝送ユニット２１は、第１のネットワークデバイスから受信される要求メッセージに従って、応答メッセージを第１のネットワークデバイスにフィードバックするように構成される。
要求メッセージは、少なくとも１つの第１のＰＤＵセッション情報を含む。
応答メッセージは、第２のネットワークデバイスへの容認を示す、少なくとも１つの第２のＰＤＵセッション情報を含む。
【０１２３】
随意に、実施形態では、ネットワークデバイスが二次基地局であり、第１のネットワークデバイスが一次基地局であるとき、要求メッセージは、分割要求メッセージであり、応答メッセージは、分割応答メッセージである。
【０１２４】
随意に、実施形態では、ネットワークデバイスが標的基地局であり、第１のネットワークデバイスがソース基地局であるとき、要求メッセージは、ハンドオーバ要求メッセージであり、応答メッセージは、ハンドオーバ応答メッセージである。
【０１２５】
随意に、実施形態では、第２の伝送ユニット２１はさらに、ＵＥのアクセス後に、パス切替要求メッセージを第３のネットワークデバイスに伝送するように構成される。
【０１２６】
随意に、実施形態では、応答メッセージの中の第２のネットワークデバイスへの容認を示す、少なくとも１つの第２のＰＤＵセッション情報は、ＰＤＵセッション識別子、少なくとも１つのＮＧインターフェースダウンリンクトンネルエンドポイント情報、トンネルエンドポイント情報を転送する少なくとも１つのＸｎインターフェースデータ、トンネルエンドポイントを転送する少なくとも１つのＸｎインターフェースデータに対応する、ＤＲＢ識別子、トンネルエンドポイントを転送する少なくとも１つのＸｎインターフェースデータに対応する、ＱｏＳフロー識別子もしくはＱｏＳフロー識別子リスト、または少なくとも１つのＱｏＳフロー識別子のうちの少なくとも１つをを含む。
【０１２７】
随意に、実施形態では、第２のネットワークデバイスへの容認を示す、少なくとも１つの第２のＰＤＵセッション情報は、ＰＤＵセッション識別子、トンネルエンドポイント情報を転送する少なくとも１つのＸｎインターフェースデータ、トンネルエンドポイントを転送する少なくとも１つのＸｎインターフェースデータに対応する、ＤＲＢ識別子、トンネルエンドポイントを転送する少なくとも１つのＸｎインターフェースデータに対応する、ＱｏＳフロー識別子もしくはＱｏＳフロー識別子リスト、または少なくとも１つのＱｏＳフロー識別子のうちの少なくとも１つを含む。
【０１２８】
随意に、実施形態では、応答メッセージはさらに、容認の拒否を示す、少なくとも１つの第５のＰＤＵセッション情報を含む。
容認の拒否を示す、少なくとも１つの第５のＰＤＵセッション情報のそれぞれは、ＰＤＵセッション識別子または少なくとも１つのＱｏＳフロー識別子のうちの少なくとも１つを含む。
【０１２９】
随意に、実施形態では、ネットワークデバイスはさらに、要求メッセージが転送モードインジケーションを含むときに、転送モードインジケーションに従ってＸｎインターフェースデータ転送モードを判定するように構成される、第２の転送モード判定ユニット２２を含む。
【０１３０】
随意に、実施形態では、ネットワークデバイスはさらに、第２のＰＤＡＰエンティティ２３を含む。
第２のＰＤＡＰエンティティ２３は、Ｘｎインターフェースから受信される終了マーカの中のＱｏＳフロー識別子に従って、ＱｏＳフローの転送が完了することを判定するように構成される。
【０１３１】
図８は、本願のさらに別の実施形態による、ネットワークデバイスの構造図である。図８に示されるように、ネットワークデバイスは、第３の受信ユニット（または第３の受信機）３０と、第３の伝送ユニット（または第３の送信機）３１とを含む。
第３の受信ユニット３０は、第１のネットワークデバイスによって伝送されるインジケーションメッセージを受信するように構成される。
第３の伝送ユニット３１は、インジケーションメッセージを受信した後に確認応答メッセージを第１のネットワークデバイスに伝送するように構成される。
確認応答メッセージは、分割の容認を示す、少なくとも１つの第６のＰＤＵセッション情報を含む。
【０１３２】
随意に、実施形態では、少なくとも１つの第６のＰＤＵセッション情報のそれぞれは、ＰＤＵセッション識別子または少なくとも１つのＱｏＳフロー識別子のうちの少なくとも１つを含む。
【０１３３】
随意に、確認応答メッセージはさらに、分割の拒否を示す、少なくとも１つの第７のＰＤＵセッション情報を含む。
少なくとも１つの第７のＰＤＵセッション情報のそれぞれは、ＰＤＵセッション識別子または少なくとも１つのＱｏＳフロー識別子のうちの１つを含む。
【０１３４】
随意に、確認応答メッセージはさらに、変更される情報を含む。
変更される情報は、少なくとも１つのＱｏＳフロー識別子、各ＱｏＳフローに対応するＰＤＵセッション識別子、または変更された後の各ＱｏＳフローのＱｏＳプロファイル情報のうちの少なくとも１つを含む。
【０１３５】
随意に、第３の受信ユニット３０はさらに、第２のネットワークデバイスによって伝送されるパス切替要求を受信するように構成される。
ネットワークデバイスはさらに、第３のパス切替ユニット３２を含む。
第３のパス切替ユニット３２は、受信されたパス切替要求に従って、第１のネットワークデバイスから第２のネットワークデバイスへのパス切替を実施するように構成される。
【０１３６】
随意に、第３の伝送ユニットはさらに、各ＱｏＳフローの最後のデータパケットを第１のネットワークデバイスに伝送した後に、ＱｏＳフロー識別子を備える終了マーカを第１のネットワークデバイスに伝送するように構成される。
【０１３７】
随意に、第３の伝送ユニットはさらに、パス切替確認応答メッセージを第２のネットワークデバイスに伝送するように構成される。
【０１３８】
図９は、本願のさらに別の実施形態による、データ処理を実装するための方法のフローチャートである。図９に示されるように、本方法は、下記に説明されるステップ９０、９１、９２、および９３を含む。
【０１３９】
ステップ９０では、第１のネットワークデバイスが、要求メッセージを第２のネットワークデバイスに伝送する。
【０１４０】
ステップ９１では、第２のネットワークデバイスが、第１のネットワークデバイスから受信される要求メッセージに従って、応答メッセージを第１のネットワークデバイスにフィードバックする。
【０１４１】
ステップ９２では、第１のネットワークデバイスが、第２のネットワークデバイスによってフィードバックされる応答メッセージを受信し、インジケーションメッセージを第３のネットワークデバイスに伝送する。
【０１４２】
ステップ９３では、第３のネットワークデバイスが、第１のネットワークデバイスによって伝送されるインジケーションメッセージを受信し、インジケーションメッセージに従ってデータ処理を実施する。
要求メッセージは、少なくとも１つの第１のＰＤＵセッション情報を含み、応答メッセージは、容認を示す、少なくとも１つの第２のＰＤＵセッション情報を含む。
【０１４３】
随意に、第１のネットワークデバイスが一次基地局であり、第２のネットワークデバイスが二次基地局であり、第３のネットワークデバイスがコアネットワークであるとき、要求メッセージは、分割要求メッセージであり、応答メッセージは、分割応答メッセージである。
第１のネットワークデバイスがソース基地局であり、第２のネットワークデバイスが標的基地局であり、第３のネットワークデバイスがコアネットワークであるとき、要求メッセージは、ハンドオーバ要求メッセージであり、応答メッセージは、ハンドオーバ応答メッセージである。
【０１４４】
別の側面では、本願の実施形態はさらに、システムを提供する。本システムは、第１のネットワークデバイスと、第２のネットワークデバイスと、第３のネットワークデバイスとを含む。
第１のネットワークデバイスは、要求メッセージを第２のネットワークデバイスに伝送し、第２のネットワークデバイスによってフィードバックされる応答メッセージを受信し、インジケーションメッセージを第３のネットワークデバイスに伝送するように構成される。
第２のネットワークデバイスは、第１のネットワークデバイスから受信される要求メッセージに従って、応答メッセージを第１のネットワークデバイスにフィードバックするように構成される。
第３のネットワークデバイスは、第１のネットワークデバイスによって伝送されるインジケーションメッセージを受信し、インジケーションメッセージに従ってデータ処理を実施するように構成される。
要求メッセージは、少なくとも１つの第１のプロトコルデータユニット（ＰＤＵ）セッション情報を含み、応答メッセージは、容認を示す、少なくとも１つの第２のＰＤＵセッション情報を含む。
【０１４５】
随意に、第１のネットワークデバイスが一次基地局であり、第２のネットワークデバイスが二次基地局であり、第３のネットワークデバイスがコアネットワークであるとき、要求メッセージは、分割要求メッセージであり、応答メッセージは、分割応答メッセージである。
第１のネットワークデバイスがソース基地局であり、第２のネットワークデバイスが標的基地局であり、第３のネットワークデバイスがコアネットワークであるとき、要求メッセージは、ハンドオーバ要求メッセージであり、応答メッセージは、ハンドオーバ応答メッセージである。
【０１４６】
本願の方法は、本願の範囲を限定せず、本願を例証することのみを意図している実施形態を参照して、下記で詳細に説明されるであろう。実施形態において提供されるネットワーク構造の概略図では、ＰＤＵセッションをＤＲＢと区別するために、ＰＤＵセッションは、直角の長方形によって表され、ＤＲＢは、丸みを帯びた長方形によって表される。各ＰＤＵセッション、ＤＲＢ、およびＱｏＳフローは、全てデジタルコードを提供される。例えば、１と番号付けされた直角の長方形は、ＰＤＵセッション１を表す。同一の番号を番号付けされたＰＤＵセッション、ＤＲＢ、およびＱｏＳフローに関して、それらは、それぞれ、分割前（もしくはハンドオーバ前）または分割後（もしくはハンドオーバ後）のＰＤＵセッション、ＤＲＢ、およびＱｏＳフローを表す、点線および実線によって区別される。
【０１４７】
（実施形態１）
実施形態は、ＰＤＵセッション情報に基づく分割および転送である。図１０は、実施形態１のネットワーク構造の概略図である。図１０に示されるように、ネットワーク内のＵＥに関して、２つのＰＤＵセッションが、一次基地局とコアネットワークとの間に確立され、ＰＤＵセッション１およびＰＤＵセッション２であると仮定される。ＰＤＵセッション１は、ＱｏＳフロー１と、ＱｏＳフロー２とを含み、ＰＤＵセッション２は、ＱｏＳフロー３と、ＱｏＳフロー４とを含む。ＱｏＳフロー１およびＱｏＳフロー２は、ＤＲＢ１にマッピングされ、ＱｏＳフロー３は、ＤＲＢ２にマッピングされ、ＱｏＳフロー４は、ＤＲＢ３にマッピングされる。実施形態では、ＵＥの一次基地局は、ＰＤＵセッション２をＵＥの二次基地局へ分割することを判定する。
【０１４８】
図１１は、実施形態１の方法フローチャートである。図１１に示されるように、本方法は、下記に説明されるステップ１００、１０１、１０２、１０３、１０４、１０５、および１０６を含む。
【０１４９】
ステップ１００では、一次基地局が、要求メッセージを二次基地局に伝送する。要求メッセージは、分割されるＰＤＵセッション２の情報を搬送する。ＰＤＵセッション２情報は、ＰＤＵセッション２識別子と、ＰＤＵセッション２のＮＧインターフェースアップリンクトンネルエンドポイント情報と、ＰＤＵセッション２の中のＱｏＳフロー３の識別子および対応するＱｏＳプロファイル情報と、ＰＤＵセッション２の中のＱｏＳフロー４の識別子および対応するＱｏＳプロファイル情報とを含む。要求メッセージはまた、ＤＲＢ２情報およびＤＲＢ３情報も搬送する。ＤＲＢ２情報は、ＤＲＢ２識別子と、対応するＤＲＢ２構成情報と、ＤＲＢ２にマッピングされるＱｏＳフロー３識別子とを含む。ＤＲＢ３情報は、ＤＲＢ３識別子と、対応するＤＲＢ３構成情報と、ＤＲＢ３にマッピングされるＱｏＳフロー４識別子とを含む。要求メッセージはまた、データ転送モードインジケーションも搬送する。データ転送モードインジケーションは、ＰＤＵセッションに基づく転送を含んでもよい。
【０１５０】
ステップ１０１では、二次基地局が、要求メッセージを受信し、要求メッセージの中の情報および二次基地局のリソース条件に従って、分割を容認するかどうかを判定することを含み、分割を容認するかどうかを判定する。二次基地局は、ＤＲＢ２およびＤＲＢ３を確立し、ＱｏＳフロー３をＤＲＢ２にマッピングし、ＱｏＳフロー４をＤＲＢ３にマッピングする。二次基地局は、データ転送モードインジケーションがＰＤＵセッションに基づく転送であるという事実に従って、ＰＤＵセッション２のためのトンネルエンドポイント情報を転送する１つのＸｎインターフェースデータを構成する。
【０１５１】
ステップ１０２では、二次基地局が、応答メッセージを一次基地局に伝送する。応答メッセージは、ＰＤＵセッション２識別子と、ＰＤＵセッション２のＮＧインターフェースダウンリンクトンネルエンドポイント情報と、ＰＤＵセッション２のトンネルエンドポイント情報を転送する１つのＸｎインターフェースデータと、ＰＤＵセッション２の中のＱｏＳフロー３識別子およびＱｏＳフロー４識別子とを含む、容認を示すＰＤＵセッション２情報を搬送する。
【０１５２】
ステップ１０３では、一次基地局が、二次基地局によって伝送される応答メッセージを受信した後に、インジケーションメッセージをコアネットワークに伝送する。インジケーションメッセージは、分割されるＰＤＵセッション２の情報を含む。インジケーションメッセージは、具体的には、ＰＤＵセッション２識別子と、ＮＧインターフェースダウンリンクトンネルエンドポイント情報と、ＰＤＵセッション２の中のＱｏＳフロー３識別子およびＱｏＳフロー４識別子とを含む。インジケーションメッセージはまた、（例えば、ＰＤＵセッションに基づく分割であるように設定される）分割モードインジケーションも搬送する。
【０１５３】
ステップ１０４では、コアネットワークが、インジケーションメッセージおよび分割モードインジケーションに従って、ＰＤＵセッションに基づく分割を実施し、二次基地局へ分割されるＰＤＵセッション２全体を分割する。本ステップは、ＰＤＵセッション２の中のＱｏＳフロー３およびＱｏＳフロー４の後続のデータを二次基地局に伝送するように、ＰＤＵセッション２のＮＧインターフェースダウンリンクトンネルエンドポイント情報を受信されたＮＧインターフェースダウンリンクトンネルエンドポイント情報に変更することを含んでもよい。
【０１５４】
ステップ１０５では、コアネットワークが、確認応答メッセージを一次基地局に伝送する。
【０１５５】
ステップ１０６では、一次基地局が、二次基地局から受信されるトンネルエンドポイント情報を転送するＸｎインターフェースデータに従って、データを転送する。本ステップは、二次基地局から受信されるＰＤＵセッション２のトンネルエンドポイント情報を転送するＸｎインターフェースデータに従って、ＰＤＵセッション２についてのデータが、トンネルエンドポイント情報に対応するＸｎインターフェースデータ転送トンネルに伝送され、一次基地局が、ＤＲＢ２およびＤＲＢ３を解放することを含んでもよい。二次基地局は、受信された転送データパケットの中のＱｏＳフロー識別子に従って、ＱｏＳフローを対応するＤＲＢにマッピングする（すなわち、ＱｏＳフロー３は、ＤＲＢ２にマッピングされ、ＱｏＳフロー４は、ＤＲＢ３にマッピングされる）。
【０１５６】
（実施形態２）
実施形態は、ＰＤＵセッションに基づく分割およびＤＲＢに基づく転送である。図１２は、実施形態２のネットワーク構造の概略図である。図１２に示されるように、ネットワーク内のＵＥに関して、２つのＰＤＵセッションが、一次基地局とコアネットワークとの間に確立され、ＰＤＵセッション１およびＰＤＵセッション２であると仮定される。ＰＤＵセッション１は、ＱｏＳフロー１と、ＱｏＳフロー２とを含み、ＰＤＵセッション２は、ＱｏＳフロー３と、ＱｏＳフロー４とを含む。ＱｏＳフロー１およびＱｏＳフロー２は、ＤＲＢ１にマッピングされ、ＱｏＳフロー３は、ＤＲＢ２にマッピングされ、ＱｏＳフロー４は、ＤＲＢ３にマッピングされる。実施形態では、ＵＥの一次基地局は、ＰＤＵセッション２をＵＥの二次基地局へ分割することを判定する。実施形態２における主要実装ステップは、実施形態１におけるステップと同一である。ステップは、下記で具体的に説明される。
【０１５７】
一次基地局は、要求メッセージを二次基地局に伝送する。要求メッセージは、分割されるＰＤＵセッション２の情報を搬送する。ＰＤＵセッション２情報は、ＰＤＵセッション２識別子と、ＰＤＵセッション２のＮＧインターフェースアップリンクトンネルエンドポイント情報と、ＰＤＵセッション２の中のＱｏＳフロー３の識別子および対応するＱｏＳプロファイル情報と、ＰＤＵセッション２の中のＱｏＳフロー４の識別子および対応するＱｏＳプロファイル情報とを含む。要求メッセージはまた、ＤＲＢ２情報およびＤＲＢ３情報も搬送する。ＤＲＢ２情報は、ＤＲＢ２識別子と、対応するＤＲＢ２構成情報と、ＤＲＢ２にマッピングされるＱｏＳフロー３識別子とを含む。ＤＲＢ３情報は、ＤＲＢ３識別子と、対応するＤＲＢ３構成情報と、ＤＲＢ３にマッピングされるＱｏＳフロー４識別子とを含む。要求メッセージはまた、（ＤＲＢに基づく転送であるように設定される）データ転送モードインジケーションも搬送する。
【０１５８】
二次基地局は、要求メッセージおよび二次基地局のリソース条件に従って、分割を容認するかどうかを判定することを含み、要求メッセージに従って分割するかどうかを判定する。二次基地局は、ＤＲＢ２およびＤＲＢ３を確立し、ＱｏＳフロー３をＤＲＢ２にマッピングし、ＱｏＳフロー４をＤＲＢ３にマッピングする。データ転送モードインジケーションがＤＲＢに基づく転送であるという事実に従って、二次基地局は、それぞれ、ＤＲＢ２およびＤＲＢ３に使用される、ＰＤＵセッション２のためのトンネルエンドポイント情報を転送する２つのＸｎインターフェースデータを構成する。
【０１５９】
二次基地局は、応答メッセージを一次基地局に伝送する。応答メッセージは、ＰＤＵセッション２識別子と、ＰＤＵセッション２のＮＧインターフェースダウンリンクトンネルエンドポイント情報と、ＰＤＵセッション２のトンネルエンドポイント情報を転送する２つのＸｎインターフェースデータと、各転送トンネルエンドポイントに対応するＤＲＢ識別子またはＱｏＳフロー識別子リスト（１つの転送トンネルエンドポイントに対応する１つ以上のＱｏＳフロー識別子を含む）と、ＰＤＵセッション２の中のＱｏＳフロー３識別子およびＱｏＳフロー４識別子とを含む、容認を示すＰＤＵセッション２情報を搬送する。
【０１６０】
一次基地局は、二次基地局によって伝送される応答メッセージを受信した後に、インジケーションメッセージをコアネットワークに伝送する。実施形態におけるインジケーションメッセージは、ＰＤＵセッション２識別子と、ＮＧインターフェースダウンリンクトンネルエンドポイント情報と、ＰＤＵセッション２の中のＱｏＳフロー３識別子およびＱｏＳフロー４識別子とを含む、分割されるＰＤＵセッション２の情報を含む。インジケーションメッセージはまた、（例えば、ＰＤＵセッションに基づいて分割であるように設定される）分割モードインジケーションも搬送する。
【０１６１】
コアネットワークは、インジケーションメッセージおよび分割モードインジケーションに従って、ＰＤＵセッションに基づく分割を実施し、二次基地局へ分割されるＰＤＵセッション２全体を分割する。本ステップは、ＰＤＵセッション２の中のＱｏＳフロー３およびＱｏＳフロー４の後続のデータを二次基地局に伝送するように、ＰＤＵセッション２のＮＧインターフェースダウンリンクトンネルエンドポイント情報を受信されたＮＧインターフェースダウンリンクトンネルエンドポイント情報に変更することを含む。
【０１６２】
コアネットワークは、確認応答メッセージを一次基地局に伝送する。
【０１６３】
一次基地局は、二次基地局から受信されるトンネルエンドポイント情報を転送するＸｎインターフェースデータに従って、データを転送する。本ステップは、二次基地局から受信されるＰＤＵセッション２のトンネルエンドポイント情報を転送するＸｎインターフェースデータおよび対応するＱｏＳフロー識別子に従って、ＱｏＳフロー３についてのデータが、ＱｏＳフロー３に対応するＸｎインターフェースデータ転送トンネルに伝送され、ＱｏＳフロー４についてのデータが、ＱｏＳフロー４に対応するＸｎインターフェースデータ転送トンネルに伝送され、一次基地局が、ＤＲＢ２およびＤＲＢ３を解放することを含む。
【０１６４】
（実施形態３）
実施形態は、ＱｏＳフローに基づく分割および転送である。図１３は、実施形態３のネットワーク構造の概略図である。図１３に示されるように、ネットワーク内のＵＥに関して、２つのＰＤＵセッションが、一次基地局とコアネットワークとの間に確立され、ＰＤＵセッション１およびＰＤＵセッション２であると仮定される。ＰＤＵセッション１は、ＱｏＳフロー１と、ＱｏＳフロー２とを含み、ＰＤＵセッション２は、ＱｏＳフロー３と、ＱｏＳフロー４とを含む。ＱｏＳフロー１およびＱｏＳフロー２は、ＤＲＢ１にマッピングされ、ＱｏＳフロー３は、ＤＲＢ２にマッピングされ、ＱｏＳフロー４は、ＤＲＢ３にマッピングされる。実施形態では、ＵＥの一次基地局は、ＱｏＳフロー２およびＱｏＳフロー４をＵＥの二次基地局へ分割することを判定する。
【０１６５】
図１４は、実施形態３の方法フローチャートである。図１４に示されるように、本方法は、下記に説明されるステップ３００、３０１、３０２、３０３、３０４、３０５、および３０６を含む。
【０１６６】
ステップ３００では、一次基地局が、要求メッセージを二次基地局に伝送する。要求メッセージは、分割されるＱｏＳフローの情報を搬送する。ＱｏＳフロー情報は、ＱｏＳフロー２が属するＰＤＵセッション１識別子と、ＰＤＵセッション１のＮＧインターフェースアップリンクトンネルエンドポイント情報と、ＱｏＳフロー２識別子および対応するＱｏＳプロファイル情報と、ＱｏＳフロー４が属するＰＤＵセッション２識別子と、ＰＤＵセッション２のＮＧインターフェースアップリンクトンネルエンドポイント情報と、ＱｏＳフロー４識別子および対応するＱｏＳプロファイル情報とを含む。要求メッセージはまた、ＤＲＢ１情報およびＤＲＢ３情報も搬送する。ＤＲＢ１情報は、ＤＲＢ１識別子と、対応するＤＲＢ１構成情報と、ＤＲＢ１にマッピングされるＱｏＳフロー１識別子およびＱｏＳフロー２識別子とを含む。ＤＲＢ３情報は、ＤＲＢ３識別子と、対応するＤＲＢ３構成情報と、ＤＲＢ３にマッピングされるＱｏＳフロー４識別子とを含む。
【０１６７】
ステップ３０１では、二次基地局が、要求メッセージおよび二次基地局のリソース条件に従って、分割を容認するかどうかを判定することを含み、要求メッセージに従って分割を容認するかどうかを判定する。二次基地局は、（ＱｏＳフロー２をマッピングするための）ＤＲＢ４および（ＱｏＳフロー４をマッピングするための）ＤＲＢ３を確立する。二次基地局は、ＱｏＳフローに基づく転送を判定し、ＱｏＳフロー２およびＱｏＳフロー４毎にトンネルエンドポイント情報を転送する１つのＸｎインターフェースデータを構成する。
【０１６８】
ステップ３０２では、二次基地局が、応答メッセージを一次基地局に伝送する。実施形態における応答メッセージは、容認を示す、ＱｏＳフロー２情報およびＱｏＳフロー４情報を搬送する。応答メッセージは、ＱｏＳフロー２が属するＰＤＵセッション１識別子と、ＰＤＵセッション１のＮＧインターフェースダウンリンクトンネルエンドポイント情報と、ＱｏＳフロー２のトンネルエンドポイント情報を転送するＸｎインターフェースデータと、ＱｏＳフロー４が属するＰＤＵセッション２識別子と、ＰＤＵセッション２のＮＧインターフェースダウンリンクトンネルエンドポイント情報と、ＱｏＳフロー４のトンネルエンドポイント情報を転送するＸｎインターフェースデータとを含む。
【０１６９】
ステップ３０３では、一次基地局が、二次基地局によって伝送される応答メッセージを受信した後に、インジケーションメッセージをコアネットワークに伝送する。実施形態における応答メッセージは、容認を示す応答メッセージであり、分割されるＱｏＳフロー２およびＱｏＳフロー４の情報を搬送する。応答メッセージは、ＱｏＳフロー２が属するＰＤＵセッション１識別子と、二次基地局から受信されるＰＤＵセッション１のＮＧインターフェースダウンリンクトンネルエンドポイント情報と、ＱｏＳフロー４が属するＰＤＵセッション２識別子と、二次基地局から受信されるＰＤＵセッション２のＮＧインターフェースダウンリンクトンネルエンドポイント情報とを含む。
【０１７０】
ステップ３０４では、コアネットワークが、インジケーションメッセージの中の分割ＱｏＳフローが、対応するＰＤＵセッションの中の全てのＱｏＳフローではない（関連技術分野を参照すると、コアネットワークがＰＤＵセッションの中の全てのＱｏＳフローの条件を把握し得る）という事実に従って、ＱｏＳフローに基づく分割を判定し、対応するＱｏＳフローを二次基地局へ分割する。本ステップは、ＰＤＵセッション１のＮＧインターフェースダウンリンクトンネルエンドポイント情報の中に受信されたＮＧインターフェースダウンリンクトンネルエンドポイント情報を追加し、ＰＤＵセッション１の中のＱｏＳフロー２の後続のデータを二次基地局に伝送するように、追加されたダウンリンクトンネルエンドポイントをＱｏＳフロー２と関連付けることと、ＰＤＵセッション２のＮＧインターフェースダウンリンクトンネルエンドポイント情報の中に受信されたＮＧインターフェースダウンリンクトンネルエンドポイント情報を追加し、ＰＤＵセッション２の中のＱｏＳフロー４の後続のデータを二次基地局に伝送するように、追加されたダウンリンクトンネルエンドポイントをＱｏＳフロー４と関連付けることとを含む。
【０１７１】
ステップ３０５では、コアネットワークが、確認応答メッセージを一次基地局に伝送する。
【０１７２】
ステップ３０６では、一次基地局が、二次基地局から受信されるトンネルエンドポイント情報を転送するＸｎインターフェースデータに従って、データを転送する。本ステップは、一次基地局が、二次基地局から受信されるＱｏＳフロー２のトンネルエンドポイント情報を転送するＸｎインターフェースデータに従って、ＱｏＳフロー２についてのデータを、トンネルエンドポイント情報に対応するＸｎインターフェースデータ転送トンネルに伝送し、二次基地局から受信されるＱｏＳフロー４のトンネルエンドポイント情報を転送するＸｎインターフェースデータに従って、ＱｏＳフロー４についてのデータを、トンネルエンドポイント情報に対応するＸｎインターフェースデータ転送トンネルに伝送し、ＤＲＢ３を解放することを含む。二次基地局は、受信された転送データパケットの中のＱｏＳフロー識別子に従って、ＱｏＳフローを対応するＤＲＢにマッピングする（すなわち、ＱｏＳフロー２は、ＤＲＢ４にマッピングされ、ＱｏＳフロー４は、ＤＲＢ３にマッピングされる）。
【０１７３】
（実施形態４）
実施形態は、ＱｏＳセッションに基づく分割およびＤＲＢに基づく転送である。図１５は、実施形態４のネットワーク構造の概略図である。図１５に示されるように、ネットワーク内のＵＥに関して、２つのＰＤＵセッションが、一次基地局とコアネットワークとの間に確立され、ＰＤＵセッション１およびＰＤＵセッション２であると仮定される。ＰＤＵセッション１は、ＱｏＳフロー１と、ＱｏＳフロー２とを含み、ＰＤＵセッション２は、ＱｏＳフロー３と、ＱｏＳフロー４とを含む。ＱｏＳフロー１およびＱｏＳフロー２は、ＤＲＢ１にマッピングされ、ＱｏＳフロー３は、ＤＲＢ２にマッピングされ、ＱｏＳフロー４は、ＤＲＢ３にマッピングされる。実施形態では、ＵＥの一次基地局は、ＰＤＵセッション２をＵＥの二次基地局へ分割することを判定する。実施形態４における主要実装ステップは、実施形態１におけるステップと同一である。ステップは、下記で具体的に説明される。
【０１７４】
一次基地局は、要求メッセージを二次基地局に伝送する。要求メッセージは、分割されるＰＤＵセッション２の情報を搬送する。要求メッセージは、ＰＤＵセッション２識別子と、ＰＤＵセッション２のＮＧインターフェースアップリンクトンネルエンドポイント情報と、ＰＤＵセッション２の中のＱｏＳフロー３の識別子および対応するＱｏＳプロファイル情報と、ＰＤＵセッション２の中のＱｏＳフロー４の識別子および対応するＱｏＳプロファイル情報とを含む。要求メッセージはまた、ＤＲＢ２情報およびＤＲＢ３情報も搬送する。ＤＲＢ２情報は、ＤＲＢ２識別子と、対応するＤＲＢ２構成情報と、ＤＲＢ２にマッピングされるＱｏＳフロー３識別子とを含む。ＤＲＢ３情報は、ＤＲＢ３識別子と、対応するＤＲＢ３構成情報と、ＤＲＢ３にマッピングされるＱｏＳフロー４識別子とを含む。
【０１７５】
二次基地局は、要求メッセージおよび二次基地局のリソース条件に従って、分割を容認するかどうかを判定することを含み、要求メッセージに従って分割を容認するかどうかを判定する。二次基地局は、ＤＲＢ４を確立し、ＱｏＳフロー３およびＱｏＳフロー４をＤＲＢ４にマッピングする。二次基地局は、ＤＲＢに基づく転送を判定し、ＤＲＢ４に使用される、ＰＤＵセッション２のためのトンネルエンドポイント情報を転送する１つのＸｎインターフェースデータを構成する。
【０１７６】
二次基地局は、応答メッセージを一次基地局に伝送する。応答メッセージは、容認を示す、ＰＤＵセッション２情報を搬送する。応答メッセージは、ＰＤＵセッション２識別子と、ＰＤＵセッション２のＮＧインターフェースダウンリンクトンネルエンドポイント情報と、ＰＤＵセッション２のトンネルエンドポイント情報を転送する１つのＸｎインターフェースデータと、ＰＤＵセッション２の中のＱｏＳフロー３識別子およびＱｏＳフロー４識別子とを含む。
【０１７７】
一次基地局は、二次基地局によって伝送される応答メッセージを受信した後に、インジケーションメッセージをコアネットワークに伝送する。インジケーションメッセージは、分割されるＰＤＵセッション２の情報を含む。インジケーションメッセージは、ＰＤＵセッション２識別子と、ＮＧインターフェースダウンリンクトンネルエンドポイント情報と、ＰＤＵセッション２の中のＱｏＳフロー３識別子およびＱｏＳフロー４識別子とを含む。
【０１７８】
コアネットワークは、インジケーションメッセージの中の分割ＱｏＳフローが、ＰＤＵセッションの中の全てのＱｏＳフローである（コアネットワークがＰＤＵセッションの中の全てのＱｏＳフローの条件を把握する）という事実に従って、ＰＤＵセッションに基づく分割を実施し、二次基地局へ分割されるＰＤＵセッション２全体を分割する。本ステップは、ＰＤＵセッション２の中のＱｏＳフロー３およびＱｏＳフロー４の後続のデータを二次基地局に伝送するように、ＰＤＵセッション２のＮＧインターフェースダウンリンクトンネルエンドポイント情報を受信されたＮＧインターフェースダウンリンクトンネルエンドポイント情報に変更することを含む。
【０１７９】
コアネットワークは、確認応答メッセージを一次基地局に伝送する。
【０１８０】
一次基地局は、二次基地局から受信されるトンネルエンドポイント情報を転送するＸｎインターフェースデータに従って、データを転送する。本ステップは、一次基地局が、二次基地局から受信されるＰＤＵセッション２のトンネルエンドポイント情報を転送するＸｎインターフェースデータに従って、ＱｏＳフロー３およびＱｏＳフロー４についてのデータを、トンネルエンドポイント情報に対応するインターフェースデータ転送トンネルに伝送し、ＤＲＢ２およびＤＲＢ３を解放することを含む。
【０１８１】
（実施形態５）
実施形態は、ＱｏＳフローに基づく分割および転送である。図１６は、実施形態５のネットワーク構造の概略図である。図１６に示されるように、ネットワーク内のＵＥに関して、２つのＰＤＵセッションが、一次基地局とコアネットワークとの間に確立され、ＰＤＵセッション１およびＰＤＵセッション２であると仮定される。ＰＤＵセッション１は、ＱｏＳフロー１と、ＱｏＳフロー２とを含み、ＰＤＵセッション２は、ＱｏＳフロー３と、ＱｏＳフロー４とを含む。ＱｏＳフロー１およびＱｏＳフロー２は、ＤＲＢ１にマッピングされ、ＱｏＳフロー３は、ＤＲＢ２にマッピングされ、ＱｏＳフロー４は、ＤＲＢ３にマッピングされる。実施形態では、ＵＥの一次基地局は、ＱｏＳフロー２、ＱｏＳフロー３、およびＱｏＳフロー４をＵＥの二次基地局へ分割することを判定する。
【０１８２】
図１７は、実施形態５の方法フローチャートである。図１７に示されるように、本方法は、下記に説明されるステップ５００、５０１、５０２、５０３、５０４、５０５、５０６、５０７、および５０８を含む。
【０１８３】
ステップ５００では、一次基地局が、要求メッセージを二次基地局に伝送する。要求メッセージは、分割されるＱｏＳフローの情報を搬送する。要求メッセージは、ＱｏＳフロー２が属するＰＤＵセッション１識別子と、ＰＤＵセッション１のＮＧインターフェースアップリンクトンネルエンドポイント情報と、ＱｏＳフロー２識別子および対応するＱｏＳプロファイル情報と、ＱｏＳフロー３およびＱｏＳフロー４が属するＰＤＵセッション２識別子と、ＰＤＵセッション２のＮＧインターフェースアップリンクトンネルエンドポイント情報と、ＱｏＳフロー３識別子およびＱｏＳフロー４識別子ならびに対応するＱｏＳプロファイル情報とを含む。要求メッセージはまた、ＤＲＢ１情報、ＤＲＢ２情報、およびＤＲＢ３情報も搬送する。ＤＲＢ１情報は、ＤＲＢ１識別子と、対応するＤＲＢ１構成情報と、ＤＲＢ１にマッピングされるＱｏＳフロー１識別子およびＱｏＳフロー２識別子とを含む。ＤＲＢ２情報は、ＤＲＢ２識別子と、対応するＤＲＢ２構成情報と、ＤＲＢ２にマッピングされるＱｏＳフロー３識別子とを含む。ＤＲＢ３情報は、ＤＲＢ３識別子と、対応するＤＲＢ３構成情報と、ＤＲＢ３にマッピングされるＱｏＳフロー４識別子とを含む。
【０１８４】
ステップ５０１では、二次基地局が、要求メッセージおよび二次基地局のリソース条件に従って、分割を部分的に容認する（例えば、ＱｏＳフロー２およびＱｏＳフロー４の分割を容認し、ならびにＱｏＳフロー３の分割を拒否する）かどうかを判定することを含み、要求メッセージに従って分割を容認するかどうかを判定する。二次基地局は、（ＱｏＳフロー２をマッピングするために使用される）ＤＲＢ４および（ＱｏＳフロー４をマッピングするために使用される）ＤＲＢ３を確立する。
【０１８５】
ステップ５０２では、二次基地局が、応答メッセージを一次基地局に伝送する。応答メッセージは、容認を示す、ＱｏＳフロー２情報およびＱｏＳフロー４情報を搬送する。応答メッセージは、ＱｏＳフロー２が属するＰＤＵセッション１識別子と、ＰＤＵセッション１のＮＧインターフェースダウンリンクトンネルエンドポイント情報と、ＱｏＳフロー２識別子と、ＱｏＳフロー２のトンネルエンドポイント情報を転送するＸｎインターフェースデータと、ＱｏＳフロー４が属するＰＤＵセッション２識別子と、ＰＤＵセッション２のＮＧインターフェースダウンリンクトンネルエンドポイント情報と、ＱｏＳフロー識別子と、ＱｏＳフロー４のトンネルエンドポイント情報を転送するＸｎインターフェースデータとを含む。応答メッセージはまた、分割されることが容認されたＱｏＳフロー３が属するＰＤＵセッション２識別子、およびＱｏＳフロー３識別子も搬送する。
【０１８６】
ステップ５０３では、一次基地局が、二次基地局によって伝送される応答メッセージを受信した後に、インジケーションメッセージをコアネットワークに伝送する。本ステップは、応答メッセージを受信し、二次基地局がＱｏＳフロー２およびＱｏＳフロー４の分割を容認し、ＱｏＳフロー３の分割を容認しないことを把握した後、インジケーションメッセージをコアネットワークに伝送することを含む。インジケーションメッセージは、分割されるＱｏＳフロー２およびＱｏＳフロー４の情報を搬送し、ＱｏＳフロー２が属するＰＤＵセッション１識別子と、二次基地局から受信されるＰＤＵセッション１のＮＧインターフェースダウンリンクトンネルエンドポイント情報と、ＱｏＳフロー４が属するＰＤＵセッション２識別子と、二次基地局から受信されるＰＤＵセッション２のＮＧインターフェースダウンリンクトンネルエンドポイント情報とを含む。
【０１８７】
ステップ５０４では、コアネットワークが、実際の条件に従って、ＱｏＳフロー４の分割を容認し、ＱｏＳフロー２の分割を容認しないことを含む、インジケーションメッセージの中の分割ＱｏＳフローが、ＰＤＵセッションの中の全てのＱｏＳフローではない（コアネットワークがＰＤＵセッションの中の全てのＱｏＳフローの条件を把握する）という事実に従って、ＱｏＳフローに基づく分割を実施する。本ステップは、ＰＤＵセッション２のＮＧインターフェースダウンリンクトンネルエンドポイント情報の中に受信されたＮＧインターフェースダウンリンクトンネルエンドポイント情報を追加し、ＰＤＵセッション２の中のＱｏＳフロー４の後続のデータを二次基地局に伝送するように、追加されたダウンリンクトンネルエンドポイントをＱｏＳフロー４と関連付けることを含む。
【０１８８】
ステップ５０５では、コアネットワークが、確認応答メッセージを伝送する。確認応答メッセージは、分割されることが容認されたＱｏＳフロー４が属するＰＤＵセッション２識別子、ＱｏＳフロー４識別子、分割されることが容認されたＱｏＳフロー２が属するＰＤＵセッション１識別子、およびＱｏＳフロー２識別子を搬送する。
【０１８９】
ステップ５０６では、一次基地局が、変更メッセージを二次基地局に伝送する。変更メッセージは、分割されることが取り消されたＱｏＳフロー２が属するＰＤＵセッション１識別子、およびＱｏＳフロー２識別子を搬送する。
【０１９０】
ステップ５０７では、二次基地局が、受信された更新メッセージに従って、関連リソースを解放する。本ステップは、変更メッセージを受信し、ＱｏＳフロー２に関連するリソースを解放することを含む。これは、ＱｏＳフロー２に対応するＤＲＢ４を解放することを含む。
【０１９１】
ステップ５０８では、一次基地局が、トンネルエンドポイント情報を転送するＸｎインターフェースデータに従って、データを転送する。本ステップは、一次基地局が、二次基地局から受信されるＱｏＳフロー４のトンネルエンドポイント情報を転送するＸｎインターフェースデータに従って、ＱｏＳフロー４についてのデータを、トンネルエンドポイント情報に対応するＸｎインターフェースデータ転送トンネルに伝送し、一次基地局が、ＤＲＢ３を解放することを含む。二次基地局は、受信された転送データパケットの中のＱｏＳフロー識別子に従って、ＱｏＳフローを対応するＤＲＢにマッピングする（すなわち、ＱｏＳフロー４は、ＤＲＢ３にマッピングされる）。
【０１９２】
（実施形態６）
実施形態は、主に、ＤＲＢに基づくハンドオーバおよび分割に関する。図１８は、実施形態６のネットワーク構造の概略図である。図１８に示されるように、ネットワーク内のＵＥに関して、２つのＰＤＵセッションが、ソース基地局とコアネットワークとの間に確立され、ＰＤＵセッション１およびＰＤＵセッション２であると仮定される。ＰＤＵセッション１は、ＱｏＳフロー１と、ＱｏＳフロー２とを含み、ＰＤＵセッション２は、ＱｏＳフロー３と、ＱｏＳフロー４とを含む。ＱｏＳフロー１およびＱｏＳフロー２は、ＤＲＢ１にマッピングされ、ＱｏＳフロー３は、ＤＲＢ２にマッピングされ、ＱｏＳフロー４は、ＤＲＢ３にマッピングされる。実施形態では、ＵＥのソース基地局は、ＵＥを標的基地局に引き渡すことを判定する。
【０１９３】
図１９は、実施形態６の方法フローチャートである。図１９に示されるように、本方法は、下記に説明されるステップ６００、６０１、６０２、６０３、６０４、６０５、６０６、６０７、および６０８を含む。
【０１９４】
ステップ６００では、ソース基地局が、ハンドオーバ要求メッセージを標的基地局に伝送する。ハンドオーバ要求メッセージは、ＰＤＵセッション１情報およびＰＤＵセッション２情報を搬送する。ＰＤＵセッション１情報は、ＰＤＵセッション１識別子と、ＮＧインターフェースアップリンクトンネルエンドポイント情報と、ＱｏＳフロー１識別子および対応するＱｏＳプロファイル情報と、ＱｏＳフロー２識別子および対応するＱｏＳプロファイル情報と、ＱｏＳフロー１およびＱｏＳフロー１がマッピングされるＤＲＢ１識別子ならびに対応するＤＲＢ構成情報とを含む。ＰＤＵセッション２情報は、ＰＤＵセッション２識別子と、ＮＧインターフェースアップリンクトンネルエンドポイント情報と、ＱｏＳフロー３識別子および対応するＱｏＳプロファイル情報と、ＱｏＳフロー４識別子および対応するＱｏＳプロファイル情報と、ＱｏＳフロー３がマッピングされるＤＲＢ２識別子および対応するＤＲＢ構成情報と、ＱｏＳフロー４がマッピングされるＤＲＢ３識別子および対応するＤＲＢ構成情報とを含む。
【０１９５】
ステップ６０１では、標的基地局が、ハンドオーバ要求メッセージおよびハンドオーバ要求メッセージのリソース条件に従って、ハンドオーバを容認することを含み、ハンドオーバ要求メッセージに従ってハンドオーバを容認するかどうかを判定する。標的基地局は、ＤＲＢ１、ＤＲＢ２、およびＤＲＢ３を確立し、ＱｏＳフロー１およびＱｏＳフロー２をＤＲＢ１にマッピングし、ＱｏＳフロー３をＤＲＢ２にマッピングし、ＱｏＳフロー４をＤＲＢ３にマッピングする。
【０１９６】
ステップ６０２では、標的基地局が、ハンドオーバ応答メッセージをソース基地局に伝送する。ハンドオーバ応答メッセージは、それぞれ、標的基地局側のＤＲＢ１、ＤＲＢ２、およびＤＲＢ３に基づいて、トンネルエンドポイント情報を転送するＸｎインターフェースデータを搬送する。
【０１９７】
ステップ６０３では、ソース基地局が、標的基地局の応答メッセージを受信した後に、ハンドオーバコマンドをＵＥに伝送する。
【０１９８】
ステップ６０４では、ソース基地局が、トンネルエンドポイント情報を転送するＸｎインターフェースデータに従って、データを標的基地局に転送する。本ステップは、ソース基地局が、ＤＲＢに基づいてトンネルエンドポイント情報を転送する受信されたＸｎインターフェースデータに従って、データを標的基地局に転送することを含む。
【０１９９】
ステップＳ６０５では、ＵＥが、標的基地局にアクセスする。
【０２００】
ステップ６０６では、標的基地局が、ＵＥが正常にアクセスした後に、パス切替要求メッセージをコアネットワークに伝送する。パス切替要求メッセージは、ＮＧインターフェースダウンリンクトンネルエンドポイント情報を搬送し、ＰＤＵセッション１およびＰＤＵセッション２のＮＧインターフェースダウンリンクトンネルエンドポイント情報を含む。
【０２０１】
ステップ６０７では、コアネットワークが、後続のデータを標的基地局に伝送するように、受信されたＮＧインターフェースダウンリンクトンネルエンドポイント情報に従って、関連ＰＤＵセッションのＮＧインターフェースダウンリンクトンネルエンドポイントを変更する。
【０２０２】
ステップ６０８では、コアネットワークが、パス切替確認応答メッセージを標的基地局に伝送する。
【０２０３】
（実施形態７）
実施形態は、主に、ＰＤＵセッションに基づくハンドオーバおよび転送に関する。図２０は、実施形態７のネットワーク構造の概略図である。図２０に示されるように、ネットワーク内のＵＥに関して、２つのＰＤＵセッションが、ソース基地局とコアネットワークとの間に確立され、ＰＤＵセッション１およびＰＤＵセッション２であると仮定される。ＰＤＵセッション１は、ＱｏＳフロー１と、ＱｏＳフロー２とを含み、ＰＤＵセッション２は、ＱｏＳフロー３と、ＱｏＳフロー４とを含む。ＱｏＳフロー１およびＱｏＳフロー２は、ＤＲＢ１にマッピングされ、ＱｏＳフロー３は、ＤＲＢ２にマッピングされ、ＱｏＳフロー４は、ＤＲＢ３にマッピングされる。実施形態では、ＵＥのソース基地局は、ＵＥを標的基地局に引き渡すことを判定する。実施形態７における主要実装ステップは、実施形態６におけるステップと同一である。ステップは、下記で具体的に説明される。
【０２０４】
ソース基地局は、ハンドオーバ要求メッセージを標的基地局に伝送する。ハンドオーバ要求メッセージは、ＰＤＵセッション１情報およびＰＤＵセッション２情報を搬送する。ＰＤＵセッション１情報は、ＰＤＵセッション１識別子と、ＮＧインターフェースアップリンクトンネルエンドポイント情報と、ＱｏＳフロー１識別子および対応するＱｏＳプロファイル情報と、ＱｏＳフロー２識別子および対応するＱｏＳプロファイル情報と、ＱｏＳフロー１およびＱｏＳフロー１がマッピングされるＤＲＢ１識別子ならびに対応するＤＲＢ構成情報とを含む。ＰＤＵセッション２情報は、ＰＤＵセッション２識別子と、ＮＧインターフェースアップリンクトンネルエンドポイント情報と、ＱｏＳフロー３識別子および対応するＱｏＳプロファイル情報と、ＱｏＳフロー４識別子および対応するＱｏＳプロファイル情報と、ＱｏＳフロー３がマッピングされるＤＲＢ２識別子および対応するＤＲＢ構成情報と、ＱｏＳフロー４がマッピングされるＤＲＢ３識別子および対応するＤＲＢ構成情報とを含む。
【０２０５】
標的基地局は、ハンドオーバ要求メッセージおよび標的基地局のリソース条件に従って、ハンドオーバを容認することを含み、ハンドオーバ要求メッセージに従ってハンドオーバを容認するかどうかを判定する。標的基地局は、ＤＲＢ１、ＤＲＢ２、およびＤＲＢ３を確立し、ＱｏＳフロー１およびＱｏＳフロー２をＤＲＢ１にマッピングし、ＱｏＳフロー３をＤＲＢ２にマッピングし、ＱｏＳフロー４をＤＲＢ３にマッピングする。
【０２０６】
標的基地局は、ハンドオーバ応答メッセージをソース基地局に伝送する。ハンドオーバ応答メッセージは、それぞれ、標的基地局側のＰＤＵセッション１およびＰＤＵセッション２に基づいて、トンネルエンドポイント情報を転送するＸｎインターフェースデータを搬送する。
【０２０７】
ソース基地局は、標的基地局によって伝送されるハンドオーバ応答メッセージを受信した後に、ハンドオーバコマンドをＵＥに伝送する。
【０２０８】
ソース基地局は、トンネルエンドポイント情報を転送する受信されたＸｎインターフェースデータに従って、データを転送する。本ステップは、ソース基地局が、ＰＤＵセッションに基づいてトンネルエンドポイント情報を転送する受信されたＸｎインターフェースデータに従って、データを標的基地局に転送し、標的基地局のＰＤＡＰエンティティが、Ｘｎインターフェースによって転送されるデータパケットの中のＤＲＢ識別子に従って、標的基地局側によって伝送されるデータパケットのＤＲＢに合致し得るように、ソース基地局のＰＤＡＰエンティティが、ＤＲＢ識別子番号をＸｎインターフェースによって転送される各データパケットに追加することを含む。
【０２０９】
ＵＥは、標的基地局にアクセスする。
【０２１０】
標的基地局は、ＵＥが正常にアクセスした後に、パス切替要求メッセージをコアネットワークに伝送する。パス切替要求メッセージの中で搬送されるＮＧインターフェースダウンリンクトンネルエンドポイント情報は、ＰＤＵセッション１およびＰＤＵセッション２のＮＧインターフェースダウンリンクトンネルエンドポイント情報を含む。
【０２１１】
コアネットワークは、後続のデータを標的基地局に伝送するように、受信されたＮＧインターフェースダウンリンクトンネルエンドポイント情報に従って、ＰＤＵセッション１およびＰＤＵセッション２のＮＧインターフェースダウンリンクトンネルエンドポイントを変更する。
【０２１２】
コアネットワークは、パス切替確認応答メッセージを標的基地局に伝送する。
【０２１３】
（実施形態８）
実施形態は、主に、ＤＲＢに基づくハンドオーバおよび転送に関する。図２１は、実施形態８のネットワーク構造の概略図である。図２１に示されるように、ネットワーク内のＵＥに関して、１つのＰＤＵセッションが、ソース基地局とコアネットワークとの間に確立され、ＰＤＵセッション１であると仮定される。ＰＤＵセッション１は、ＱｏＳフロー１と、ＱｏＳフロー２と、ＱｏＳフロー３と、ＱｏＳフロー４とを含む。ＱｏＳフロー１およびＱｏＳフロー２は、ＤＲＢ１にマッピングされ、ＱｏＳフロー３は、ＤＲＢ２にマッピングされ、ＱｏＳフロー４は、ＤＲＢ３にマッピングされる。実施形態では、ＵＥのソース基地局は、ＵＥを標的基地局に引き渡すことを判定する。実施形態８における主要実装ステップは、実施形態７におけるステップと同一である。ステップは、下記で具体的に説明される。
【０２１４】
ソース基地局は、ハンドオーバ要求メッセージを標的基地局に伝送する。ハンドオーバ要求メッセージは、ＰＤＵセッション１識別子、ＰＤＵセッション１のＮＧインターフェースアップリンクトンネルエンドポイント情報、ＱｏＳフロー１の識別子、ＱｏＳフロー２、ＱｏＳフロー３およびＱｏＳフロー４ならびに対応するＱｏＳプロファイル情報、ＱｏＳフロー１およびＱｏＳフロー２がマップされるＤＲＢ１識別子ならびに対応するＤＲＢ構成情報、ＱｏＳフロー３がマップされるＤＲＢ２識別子および対応するＤＲＢ構成情報、ならびにＱｏＳフロー４がマップされるＤＲＢ３識別子および対応するＤＲＢ構成情報を搬送する。
【０２１５】
標的基地局は、ハンドオーバ要求メッセージおよび標的基地局のリソース条件に従って、ハンドオーバを容認することと、ＱｏＳフローをＤＲＢに再マッピングすることとを含み、ハンドオーバ要求メッセージに従ってハンドオーバを容認するかどうかを判定する。標的基地局は、ＤＲＢ４およびＤＲＢ５を確立し、ＱｏＳフロー１をＤＲＢ４に再マッピングし、ＱｏＳフロー２、ＱｏＳフロー３、およびＱｏＳフロー４をＤＲＢ５に再マッピングする。
【０２１６】
標的基地局は、ハンドオーバ応答メッセージをソース基地局に伝送する。ハンドオーバ応答メッセージは、それぞれ、標的基地局側のＤＲＢ４およびＤＲＢ５に基づく、トンネルエンドポイント情報を転送するＸｎインターフェースデータ、および標的基地局側の再マッピング情報（すなわち、ＱｏＳフロー１が、ＤＲＢ４に再マッピングされ、ＱｏＳフロー２、ＱｏＳフロー３、およびＱｏＳフロー４が、ＤＲＢ５に再マッピングされる）を搬送する。
【０２１７】
ソース基地局は、標的基地局のハンドオーバ応答メッセージを受信した後に、ハンドオーバコマンドをＵＥに伝送する。応答メッセージは、ハンドオーバの容認を示す、応答メッセージである。
【０２１８】
ソース基地局は、トンネルエンドポイント情報を転送する受信されたＸｎインターフェースデータに従って、データを標的基地局に転送する。本ステップは、ソース基地局が、ＤＲＢに基づいてトンネルエンドポイント情報を転送する受信されたＸｎインターフェースデータに従って、データを標的基地局に転送し、ＤＲＢ４に基づいて、ＱｏＳフロー１からＸｎインターフェースデータ転送トンネルにデータパケットを伝送し、ＤＲＢ５に基づいて、ＱｏＳフロー２、ＱｏＳフロー３、およびＱｏＳフロー４からＸｎインターフェースデータ転送トンネルにデータパケットを伝送することを含む。
【０２１９】
ＵＥは、標的基地局にアクセスする。
【０２２０】
標的基地局は、ＵＥが正常にアクセスした後に、パス切替要求メッセージをコアネットワークに伝送する。パス切替要求メッセージの中で搬送されるＮＧインターフェースダウンリンクトンネルエンドポイント情報は、ＰＤＵセッション１のＮＧインターフェースダウンリンクトンネルエンドポイント情報を含む。
【０２２１】
コアネットワークは、後続のデータを標的基地局に伝送するように、受信されたＮＧインターフェースダウンリンクトンネルエンドポイント情報に従って、ＰＤＵセッション１のＮＧインターフェースダウンリンクトンネルエンドポイントを変更する。
【０２２２】
コアネットワークは、パス切替確認応答メッセージを標的基地局に伝送する。
【０２２３】
（実施形態９）
実施形態は、主に、ＰＤＵセッションに基づく分割、ＤＲＢに基づく切替、再マッピング、および終了マーカ処理に関する。図２２は、実施形態９のネットワーク構造の概略図である。図２２に示されるように、ネットワーク内のＵＥに関して、２つのＰＤＵセッションが、一次基地局とコアネットワークとの間に確立され、ＰＤＵセッション１およびＰＤＵセッション２であると仮定される。ＰＤＵセッション１は、ＱｏＳフロー１と、ＱｏＳフロー２とを含み、ＰＤＵセッション２は、ＱｏＳフロー３と、ＱｏＳフロー４とを含む。ＱｏＳフロー１およびＱｏＳフロー２は、ＤＲＢ１にマッピングされ、ＱｏＳフロー３は、ＤＲＢ２にマッピングされ、ＱｏＳフロー４は、ＤＲＢ３にマッピングされる。実施形態では、ＵＥのソース基地局は、ＰＤＵセッション２をＵＥの二次基地局へ分割することを判定する。図２３は、実施形態９の方法フローチャートである。図２３に示されるように、本方法は、下記に説明されるステップ７００、７０１、７０２、７０３、７０４、７０５、７０６、７０７、および７０８を含む。
【０２２４】
ステップ７００では、一次基地局が、要求メッセージを二次基地局に伝送する。要求メッセージは、分割されるＰＤＵセッションの情報を搬送する。ＰＤＵセッション情報は、ＰＤＵセッション２識別子と、ＰＤＵセッション２のＮＧインターフェースアップリンクトンネルエンドポイント情報と、ＱｏＳフロー３識別子および対応するＱｏＳプロファイル情報と、ＱｏＳフロー４識別子および対応するＱｏＳプロファイル情報と、ＱｏＳフロー３がマップされるＤＲＢ２識別子および対応するＤＲＢ構成情報と、ＱｏＳフロー４がマップされるＤＲＢ３識別子および対応するＤＲＢ構成情報とを含む。
【０２２５】
ステップ７０１では、二次基地局が、要求メッセージに従って、分割を容認するかどうかを判定する。実施形態では、二次基地局は、要求メッセージおよび二次基地局のリソース条件に従って、分割を容認し、ＱｏＳフローをＤＲＢに再マップする。二次基地局は、ＤＲＢ４を確立し、ＱｏＳフロー３およびＱｏＳフロー４をＤＲＢ４にマッピングする。
【０２２６】
ステップ７０２では、標的基地局は、応答メッセージを一次基地局に伝送する。応答メッセージは、二次基地局側のＰＤＵセッション２のＮＧインターフェースダウンリンクトンネルエンドポイント情報、標的基地局側のＤＲＢ４に基づくトンネルエンドポイント情報を転送するＸｎインターフェースデータ、および標的基地局上の再マッピング情報（すなわち、ＱｏＳフロー３およびＱｏＳフロー４が、ＤＲＢ４に再マッピングされる）を搬送する。
【０２２７】
ステップ７０３では、一次基地局が、二次基地局によって伝送される応答メッセージを受信した後に、インジケーションメッセージをコアネットワークに伝送する。本ステップは、一次基地局が、二次基地局の分割を示す応答メッセージを受信した後に、インジケーションメッセージをコアネットワークに伝送することを含む。インジケーションメッセージは、分割されるＰＤＵセッション２の情報を含み、ＰＤＵセッション２識別子と、二次基地局上のＮＧインターフェースダウンリンクトンネルエンドポイント情報と、ＰＤＵセッション２の中のＱｏＳフロー３識別子およびＱｏＳフロー４識別子とを含む。
【０２２８】
ステップ７０４では、コアネットワークが、インジケーションメッセージの中の分割ＱｏＳフローが、ＰＤＵセッションの中の全てのＱｏＳフローである（コアネットワークがＰＤＵセッションの中の全てのＱｏＳフローの条件を把握する）という事実に従って、ＰＤＵセッションに基づく分割を実施し、二次基地局へ分割されるＰＤＵセッション２全体を分割する。本ステップは、ＰＤＵセッション２のＮＧインターフェースダウンリンクトンネルエンドポイント情報が、受信されたＮＧインターフェースダウンリンクトンネルエンドポイント情報に変更されることを含む。コアネットワークは、ＱｏＳフロー３の最後のデータパケットを一次基地局に伝送した後に、ＱｏＳフロー３識別子を含む終了マーカを伝送し、ＱｏＳフロー４の最後のデータパケットを一次基地局に伝送した後に、ＱｏＳフロー４識別子を含む終了マーカを伝送する。次いで、ＰＤＵセッション２についてのデータが、二次基地局に伝送される。
【０２２９】
ステップ７０５では、コアネットワークが、確認応答メッセージを一次基地局に伝送する。
【０２３０】
ステップ７０６では、一次基地局が、Ｘｎインターフェースに基づくデータ転送を実施する。本ステップは、一次基地局が、ＤＲＢに基づくＸｎインターフェースデータ転送を実施し、一次基地局が、ＤＲＢ４に基づいて、（各終了マーカを含んで）ＱｏＳフロー３およびＱｏＳフロー４からＸｎインターフェースデータ転送トンネルにデータパケットを伝送することを含む。
【０２３１】
ステップ７０７では、二次基地局のＰＤＡＰエンティティが、受信された終了マーカの中のＱｏＳフロー識別子に従って、ＱｏＳフローが完全に転送されていることを判定し、ＤＲＢにマッピングされる全てのＱｏＳフローの終了マーカが収集された後に、コアネットワークからの新しいデータが（一次基地局からデータを転送せず）ＤＲＢ上で伝送されることを判定する。
【０２３２】
（実施形態１０）
実施形態は、主に、ＤＲＢに基づくマルチパス分割および転送に関する。図２４は、実施形態１０のネットワーク構造の概略図である。図２４に示されるように、ネットワーク内のＵＥに関して、２つのＰＤＵセッションが、一次基地局とコアネットワークとの間に確立され、ＰＤＵセッション１およびＰＤＵセッション２であると仮定される。ＰＤＵセッション１は、ＱｏＳフロー１と、ＱｏＳフロー２と、ＱｏＳフロー３と、ＱｏＳフロー４とを含む。ＱｏＳフロー１およびＱｏＳフロー２は、ＤＲＢ１にマッピングされ、ＱｏＳフロー３は、ＤＲＢ２にマッピングされ、ＱｏＳフロー４は、ＤＲＢ３にマッピングされる。実施形態では、ＵＥの一次基地局は、ＱｏＳフロー２をＵＥの二次基地局１へ分割し、ＱｏＳフロー３およびＱｏＳフロー４をＵＥの二次基地局２へ分割することを判定する。図２５は、実施形態１０の方法フローチャートである。図２５に示されるように、本方法は、下記に説明されるステップ８００、８０１、８０２、８０３、８０４、８０５、８０６、８０７、および８０８を含む。
【０２３３】
ステップ８００では、一次基地局が、個別の要求メッセージを二次基地局１および二次基地局２に伝送する。本ステップは、一次基地局が、第１の要求メッセージを二次基地局１に伝送し、要求メッセージが、ＰＤＵセッション１識別子、ＰＤＵセッション１のＮＧインターフェースアップリンクトンネルエンドポイント情報、ＱｏＳフロー２識別子および対応するＱｏＳプロファイル情報、ならびにＱｏＳフロー２がマップされるＤＲＢ１識別子および対応するＤＲＢ構成情報を搬送し、第２の要求メッセージを二次基地局２に伝送し、要求メッセージが、ＰＤＵセッション１識別子、ＰＤＵセッション１のＮＧインターフェースアップリンクトンネルエンドポイント情報、ＱｏＳフロー３およびＱｏＳフロー４の識別子ならびに対応するＱｏＳプロファイル情報、ＱｏＳフロー３がマップされるＤＲＢ２識別子および対応するＤＲＢ構成情報、ならびにＱｏＳフロー４がマップされるＤＲＢ３識別子および対応するＤＲＢ構成情報を搬送することを含む。
【０２３４】
ステップ８０１では、二次基地局１および二次基地局２が、要求メッセージに従って、分割を容認するかどうかを別個に判定する。本ステップは、二次基地局１が、第１の要求メッセージに従って、分割を容認するかどうかを判定し、実施形態では、第１の要求メッセージおよび二次基地局１のリソース条件に従って、分割を容認するが、ＱｏＳフローをＤＲＢに再マッピングし、二次基地局１が、ＤＲＢ４を確立し、ＱｏＳフロー２をＤＲＢ４にマッピングし、二次基地局２が、第２の要求メッセージに従って、分割を容認するかどうかを判定し、二次基地局２が、第２の要求メッセージの中の情報および二次基地局２のリソース条件に従って、分割を容認し、ＤＲＢ２（ＤＵ１の中に位置する）およびＤＲＢ３（ＤＵ２の中に位置する）を確立し、ＱｏＳフロー３をＤＲＢ２にマッピングし、ＱｏＳフロー４をＤＲＢ３にマッピングすることを含む。
【０２３５】
ステップ８０２では、二次基地局１および二次基地局２が、個別の応答メッセージを一次基地局に伝送する。本ステップは、二次基地局１が、第１の応答メッセージを一次基地局に伝送し、第１の応答メッセージが、二次基地局１側のＰＤＵセッション１のＮＧインターフェースダウンリンクトンネルエンドポイント情報、二次基地局１側のＤＲＢ４に基づくトンネルエンドポイント情報を転送するＸｎインターフェースデータ、および二次基地局１側の再マッピング情報（すなわち、ＱｏＳフロー２がＤＲＢ４に再マッピングされる）を搬送し、二次基地局２が、第２の応答メッセージを一次基地局に伝送し、第２の応答メッセージが、二次基地局２側のＰＤＵセッション１のＮＧインターフェースダウンリンクトンネルエンドポイント情報（ダウンリンクトンネルエンドポイントａが、ＱｏＳフロー３と関連付けられ、ダウンリンクトンネルエンドポイントｂが、ＱｏＳフロー４と関連付けられる、ダウンリンクトンネルエンドポイントａおよびｂを含む）、ＤＲＢ２および二次基地局２側のマッピングされたＱｏＳフロー３識別子に基づく、トンネルエンドポイント情報を転送するＸｎインターフェースデータ、ならびにＤＲＢ３および二次基地局２側のマッピングされたＱｏＳフロー４識別子に基づく、トンネルエンドポイント情報を転送するＸｎインターフェースデータを搬送することを含む。
【０２３６】
ステップ８０３では、二次基地局１および二次基地局２の応答メッセージを受信した後、一次基地局が、インジケーションメッセージをコアネットワークに伝送する。本ステップは、二次基地局１および二次基地局２の分割の容認を示す、第１の応答メッセージおよび第２の応答メッセージを受信した後、一次基地局が、インジケーションメッセージをコアネットワークに伝送することを含む。インジケーションメッセージは、二次基地局へ分割されるＰＤＵセッションの情報を搬送し、ＰＤＵセッション情報は、ＰＤＵセッション１識別子と、二次基地局１側のＮＧインターフェースダウンリンクトンネルエンドポイント情報および対応するＱｏＳフロー２識別子と、二次基地局２側のＮＧインターフェースダウンリンクトンネルエンドポイントａ情報および対応するＱｏＳフロー３識別子と、ダウンリンクトンネルエンドポイントｂ情報および対応するＱｏＳフロー４識別子とを含む。
【０２３７】
ステップ８０４では、コアネットワークが、インジケーションメッセージに従ってデータを分割する。本ステップは、インジケーションメッセージの中の情報に従って、二次基地局１側の１つのＮＧインターフェースダウンリンクトンネルエンドポイント情報、および二次基地局２側の２つのＮＧインターフェースダウンリンクトンネルエンドポイント情報が、ＰＤＵセッション１のＮＧインターフェースダウンリンクトンネルエンドポイント情報の中に追加され、ＱｏＳフロー２の後続のデータパケットが、二次基地局１側のＮＧインターフェースダウンリンクトンネルエンドポイントに伝送され、ＱｏＳフロー３の後続のデータパケットが、二次基地局２側のＮＧインターフェースダウンリンクトンネルエンドポイントａに伝送され、ＱｏＳフロー４の後続のデータパケットが、二次基地局２側のＮＧインターフェースダウンリンクトンネルエンドポイントｂに伝送されることを含む。
【０２３８】
ステップ８０５では、コアネットワークが、確認応答メッセージを一次基地局に伝送する。
【０２３９】
ステップ８０６では、一次基地局が、Ｘｎインターフェースに基づくデータ転送を実施する。本ステップは、一次基地局が、ＤＲＢに基づくＸｎインターフェースデータ転送を実施することを含み、一次基地局が、ＤＲＢ４に基づいて、ＱｏＳフロー２からＸｎインターフェースデータ転送トンネルにデータパケットを伝送し、ＤＲＢ２に基づいて、ＱｏＳフロー３からＸｎインターフェースデータ転送トンネルにデータパケットを伝送し、ＤＲＢ３に基づいて、ＱｏＳフロー４からＸｎインターフェースデータ転送トンネルにデータパケットを伝送することを含む。
【０２４０】
上記に説明される方法における全てまたはいくつかのステップは、プログラムによって命令されるように、関連ハードウェア（プロセッサ等）によって実装され得、プログラムは、読取専用メモリ、磁気ディスク、光ディスク、または同等物等のコンピュータ可読記憶媒体の中に記憶され得ることが、当業者によって理解されるはずである。随意に、上記に説明される実施形態における全てまたはいくつかのステップはまた、１つ以上の集積回路を使用することによって実装されてもよい。故に、上記に説明される実施形態における各モジュール／ユニットは、ハードウェアによって実装されてもよく、例えば、これらのモジュール／ユニットの機能は、集積回路によって実装されてもよく、またはソフトウェア機能モジュールによって実装されてもよく、例えば、これらのモジュール／ユニットの機能は、記憶媒体の中に記憶されたプログラム／命令を実行するためにプロセッサを使用することによって実装されてもよい。本願は、ハードウェアおよびソフトウェアのいかなる具体的組み合わせにも限定されない。
【０２４１】
本願によって開示される実施形態は、上記で説明される通りであるが、その内容は、本願の理解を促進するための実施形態にすぎず、本願を限定することを意図していない。本願が関連する任意の当業者は、本願によって開示される精神および範囲から逸脱することなく、実装形態および詳細に任意の修正および変動を行い得るが、本願の特許権保護範囲は、依然として、添付の請求項によって定義される範囲の対象になる。
【産業上の利用可能性】
【０２４２】
本願を通して、第１のネットワークデバイスは、要求メッセージを第２のネットワークデバイスに伝送し、第２のネットワークデバイスは、第１のネットワークデバイスから受信される要求メッセージに従って、応答メッセージを第１のネットワークデバイスにフィードバックし、第１のネットワークデバイスは、第２のネットワークデバイスによってフィードバックされる応答メッセージを受信し、インジケーションメッセージを第３のネットワークデバイスに伝送し、第３のネットワークデバイスは、インジケーションメッセージに従ってデータを処理するように、第１のネットワークデバイスによって伝送されるインジケーションメッセージを受信する。本願は、次世代モバイル通信技術のためのデータ分割およびハンドオーバ処理を実装する。
【図１】
0006867500.tif 000002
【図２】
0006867500.tif 000003
【図３】
0006867500.tif 000004
【図４】
0006867500.tif 000005
【図５】
0006867500.tif 000006
【図６】
0006867500.tif 000007
【図７】
0006867500.tif 000008
【図８】
0006867500.tif 000009
【図９】
0006867500.tif 000010
【図１０】
0006867500.tif 000011
【図１１】
0006867500.tif 000012
【図１２】
0006867500.tif 000013
【図１３】
0006867500.tif 000014
【図１４】
0006867500.tif 000015
【図１５】
0006867500.tif 000016
【図１６】
0006867500.tif 000017
【図１７】
0006867500.tif 000018
【図１８】
0006867500.tif 000019
【図１９】
0006867500.tif 000020
【図２０】
0006867500.tif 000021
【図２１】
0006867500.tif 000022
【図２２】
0006867500.tif 000023
【図２３】
0006867500.tif 000024
【図２４】
0006867500.tif 000025
【図２５】
0006867500.tif 000026